(57)【要約】  上り制御信号伝送方法および上り制御信号伝送装置が開示される。本方法は、第1のデバイスが、第1のシンボル数を決定するステップと、第1のデバイスが、第1のシンボル数に基づいて少なくとも1つのリソースで第2のデバイスに上り制御信号を送信するステップであって、上り制御信号に含まれるシンボル数が第2のシンボル数であり、第2のシンボル数が第1のシンボル数以上である、ステップと、を含む。本方法によれば、上り制御信号が少なくとも1つのリソースで送信されるので、第1のデバイスと第2のデバイスとの間の上り制御信号伝送の遅延を低減させることができ、リソースオーバーヘッドを低減させることができる。
2020503727.tif 000002
【特許請求の範囲】
【請求項１】
上り制御信号伝送方法であって、前記方法が、
第1のデバイスにより、第1のシンボル数を決定するステップと、
前記第1のデバイスにより、前記第1のシンボル数に基づいて少なくとも1つのリソースで第2のデバイスに上り制御信号を送信するステップであって、前記上り制御信号に含まれるシンボル数が第2のシンボル数であり、前記第2のシンボル数が前記第1のシンボル数以上である、ステップと
を含む、方法。
【請求項２】
第1のデバイスにより、第1のシンボル数を決定する前記ステップが、
前記第1のデバイスにより、前記第2のデバイスによって送信された第1の参照信号に基づいて第1の測定結果を決定するステップと、
前記第1のデバイスにより、前記第1の測定結果に基づいて前記第1のシンボル数を決定するステップと
を含む、請求項1に記載の方法。
【請求項３】
前記方法が、
前記第1のデバイスにより、前記第2のデバイスによって送信された第1の情報を受信するステップであって、前記第1の情報が前記第1の測定結果と前記第1のシンボル数との間のマッピング関係を指示するために使用される、ステップ
をさらに含み、
前記第1のデバイスにより、前記第1の測定結果に基づいて前記第1のシンボル数を決定する前記ステップが、
前記第1のデバイスにより、前記マッピング関係と前記第1の測定結果とに基づいて前記第1のシンボル数を決定するステップ
を含む、請求項2に記載の方法。
【請求項４】
前記上り制御信号を送信する前記ステップの前に、前記方法が、
前記第1のデバイスにより、前記第2のデバイスに第2の情報を送信するステップであって、前記第2の情報が前記第2のシンボル数を指示するために使用される、ステップ
をさらに含む、請求項2または3に記載の方法。
【請求項５】
第1のデバイスにより、第1のシンボル数を決定する前記ステップが、
前記第1のデバイスにより、前記第2のデバイスによって送信された第3の情報を受信するステップであって、前記第3の情報が前記第1のシンボル数を指示するために使用される、ステップと、
前記第1のデバイスにより、前記第3の情報に基づいて前記第1のシンボル数を決定するステップと
を含む、請求項1に記載の方法。
【請求項６】
少なくとも1つのリソースを占有することによって上り制御信号を送信する前記ステップが、
前記第1のデバイスにより、第1の時間領域リソースを決定し、前記第1の時間領域リソース内および前記第1の時間領域リソースの後に位置する上り伝送シンボルの一部または全部で前記上り制御信号を送信するステップ
を含む、請求項1から5のいずれか一項に記載の方法。
【請求項７】
少なくとも1つのリソースを占有することによって上り制御信号を送信する前記ステップが、
前記第1のデバイスにより、前記第1の時間領域リソースと前記第1の時間領域リソースの後との時間領域リソースのうちの少なくとも1つで前記上り制御信号を送信するステップ
を含む、請求項6に記載の方法。
【請求項８】
前記第1のデバイスにより、第1の時間領域リソースを決定する前記ステップが、
前記第1のデバイスにより、前記第2のデバイスによって送信された第4の情報を受信するステップであって、前記第4の情報が前記第1の時間領域リソースを指示するために使用される、ステップ
を含む、請求項6または7に記載の方法。
【請求項９】
少なくとも1つのリソースを占有することによって上り制御信号を送信する前記ステップが、
前記第1のデバイスにより、M個の時間領域リソースを決定するステップであって、M≧1である、ステップと、
前記第1のデバイスにより、前記M個の時間領域リソース内の上り伝送シンボルの一部または全部で前記上り制御信号を送信するステップと
を含む、請求項1から8のいずれか一項に記載の方法。
【請求項１０】
前記第1のデバイスにより、前記M個の時間領域リソースで前記上り制御信号を送信する前記ステップが、
Mが1より大きいときに、前記第1のデバイスにより、前記M個の時間領域リソースのうちの少なくとも1つで前記上り制御信号を送信するステップ
を含む、請求項9に記載の方法。
【請求項１１】
前記第1のデバイスにより、M個の時間領域リソースを決定する前記ステップが、
前記第1のデバイスにより、前記第2のデバイスによって送信された第5の情報を受信するステップであって、前記第5の情報が前記M個の時間領域リソースのうちの少なくとも1つを指示するために使用される、ステップ
を含む、請求項9または10に記載の方法。
【請求項１２】
前記方法が、
前記第1のデバイスにより、第1のリソースを決定するステップ
をさらに含み、
少なくとも1つのリソースを占有することによって上り制御信号を送信する前記ステップが、
前記第1のデバイスにより、前記第1のリソースで前記上り制御信号を送信するステップであって、前記第1のリソースが時間領域リソースおよび／または周波数領域リソースを含む、ステップ
を含む、請求項1から11のいずれか一項に記載の方法。
【請求項１３】
前記第1のシンボル数が、前記第2のデバイスと前記第1のデバイスとの間のチャネルのチャネル品質と関連付けられる、請求項1から12のいずれか一項に記載の方法。
【請求項１４】
上り制御信号伝送方法であって、前記方法が、
第2のデバイスにより、少なくとも1つのリソースで、第1のシンボル数に基づいて第1のデバイスによって送信された上り制御信号を受信するステップであって、前記上り制御信号に含まれるシンボル数が第2のシンボル数であり、前記第2のシンボル数が前記第1のシンボル数以上である、ステップ
を含む、方法。
【請求項１５】
前記上り制御信号を受信する前記ステップの前に、前記方法が、
前記第1のデバイスが第1の参照信号に基づいて第1の測定結果を決定し、前記第1の測定結果に基づいて前記第1のシンボル数を決定するように、前記第2のデバイスにより、前記第1のデバイスに前記第1の参照信号を送信するステップ
をさらに含む、請求項14に記載の方法。
【請求項１６】
前記方法が、
前記第2のデバイスにより、前記第1のデバイスに第1の情報を送信するステップであって、前記第1の情報が前記第1の測定結果と前記第1のシンボル数との間のマッピング関係を指示するために使用される、ステップ
をさらに含む、請求項15に記載の方法。
【請求項１７】
前記上り制御信号を受信する前記ステップの前に、前記方法が、
前記第2のデバイスにより、前記第1のデバイスによって送信された第2の情報を受信するステップであって、前記第2の情報が前記第2のシンボル数を指示するために使用される、ステップ
をさらに含み、
前記上り制御信号を受信する前記ステップが、
前記第2のデバイスにより、前記第2の情報に基づいて前記上り制御信号を受信するステップ
を含む、請求項15または16に記載の方法。
【請求項１８】
前記上り制御信号を受信する前記ステップの前に、前記方法が、
前記第2のデバイスにより、前記第1のデバイスに第3の情報を送信するステップであって、前記第3の情報が前記第1のシンボル数を指示するために使用される、ステップ
をさらに含む、請求項14に記載の方法。
【請求項１９】
少なくとも1つのリソースで上り制御信号を受信する前記ステップが、
前記第2のデバイスにより、第1の時間領域リソースを決定し、前記第1の時間領域リソース内および前記第1の時間領域リソースの後に位置する上り伝送シンボルの一部または全部で前記上り制御信号を受信するステップ
を含む、請求項14から18のいずれか一項に記載の方法。
【請求項２０】
少なくとも1つのリソースで上り制御信号を受信する前記ステップが、
前記第2のデバイスにより、前記第1の時間領域リソースと前記第1の時間領域リソースの後との時間領域リソースのうちの少なくとも1つで前記上り制御信号を受信するステップ
を含む、請求項19に記載の方法。
【請求項２１】
前記上り制御信号を受信する前記ステップの前に、前記方法が、
前記第2のデバイスにより、前記第1のデバイスに第4の情報を送信するステップであって、前記第4の情報が前記第1の時間領域リソースを指示するために使用される、ステップ
をさらに含む、請求項19または20に記載の方法。
【請求項２２】
少なくとも1つのリソースで上り制御信号を受信する前記ステップが、
前記第2のデバイスにより、M個の時間領域リソースを決定するステップであって、M≧1である、ステップと、
前記第2のデバイスにより、前記M個の時間領域リソース内の上り伝送シンボルの一部または全部で前記上り制御信号を受信するステップと
を含む、請求項14から21のいずれか一項に記載の方法。
【請求項２３】
前記第2のデバイスにより、前記M個の時間領域リソースで前記上り制御信号を受信する前記ステップが、
Mが1より大きいときに、前記第2のデバイスにより、前記M個の時間領域リソースのうちの少なくとも1つで前記上り制御信号を受信するステップ
を含む、請求項22に記載の方法。
【請求項２４】
前記上り制御信号を受信する前記ステップの前に、前記方法が、
前記第2のデバイスにより、前記第2のデバイスに第5の情報を送信するステップであって、前記第5の情報が前記M個の時間領域リソースのうちの少なくとも1つを指示するために使用される、ステップ
をさらに含む、請求項22または23に記載の方法。
【請求項２５】
前記方法が、
前記第2のデバイスにより、第1のリソースを決定するステップ
をさらに含み、
少なくとも1つのリソースで上り制御信号を受信する前記ステップが、
前記第2のデバイスにより、前記第1のリソースで前記上り制御信号を受信するステップであって、前記第1のリソースが時間領域リソースおよび／または周波数領域リソースを含む、ステップ
を含む、請求項14から24のいずれか一項に記載の方法。
【請求項２６】
前記第1のシンボル数が、前記第2のデバイスと前記第1のデバイスとの間のチャネルのチャネル品質と関連付けられる、請求項14から25のいずれか一項に記載の方法。
【請求項２７】
上り制御信号伝送装置であって、前記装置が、
第1のシンボル数を決定するように構成された決定部と、
前記第1のシンボル数に基づいて少なくとも1つのリソースで第2のデバイスに上り制御信号を送信し、前記上り制御信号に含まれるシンボル数が第2のシンボル数であり、前記第2のシンボル数が前記第1のシンボル数以上である、ように構成された送信部と
を含む、装置。
【請求項２８】
前記決定部が、
前記第2のデバイスによって送信された第1の参照信号に基づいて第1の測定結果を決定する
ようにさらに構成され、
前記決定部が、
前記第1の測定結果に基づいて前記第1のシンボル数を決定する
ようにさらに構成される、請求項27に記載の装置。
【請求項２９】
前記装置が、
前記第2のデバイスによって送信された第1の情報を受信し、前記第1の情報が前記第1の測定結果と前記第1のシンボル数との間のマッピング関係を指示するために使用される、ように構成された受信部
をさらに含み、
前記決定部が、
前記マッピング関係と前記第1の測定結果とに基づいて前記第1のシンボル数を決定する
ようにさらに構成される、請求項28に記載の装置。
【請求項３０】
前記送信部が、
前記上り制御信号を送信する前に前記第2のデバイスに第2の情報を送信し、前記第2の情報が前記第2のシンボル数を指示するために使用される、
ようにさらに構成される、請求項28または29に記載の装置。
【請求項３１】
前記受信部が、
前記第2のデバイスによって送信された第3の情報を受信し、前記第3の情報が前記第1のシンボル数を指示するために使用される、
ようにさらに構成され、
前記決定部が、
前記第3の情報に基づいて前記第1のシンボル数を決定する
ようにさらに構成される、請求項29に記載の装置。
【請求項３２】
前記決定部が、
第1の時間領域リソースを決定する
ようにさらに構成され、
前記送信部が、
前記決定部によって決定された前記第1の時間領域リソース内および前記第1の時間領域リソースの後に位置する上り伝送シンボルの一部または全部で前記上り制御信号を送信する
ようにさらに構成される、請求項27から31のいずれか一項に記載の装置。
【請求項３３】
前記送信部が、
前記第1の時間領域リソースと前記第1の時間領域リソースの後との時間領域リソースのうちの少なくとも1つで前記上り制御信号を送信する
ようにさらに構成される、請求項32に記載の装置。
【請求項３４】
前記受信部が、
前記第2のデバイスによって送信された第4の情報を受信し、前記第4の情報が前記第1の時間領域リソースを指示するために使用される、
ようにさらに構成される、請求項32または33に記載の装置。
【請求項３５】
前記決定部が、
M個の時間領域リソースを決定し、M≧1である、
ようにさらに構成され、
前記送信部が、
前記決定部によって決定された前記M個の時間領域リソース内の上り伝送シンボルの一部または全部で前記上り制御信号を送信する
ようにさらに構成される、請求項27から34のいずれか一項に記載の装置。
【請求項３６】
前記送信部が、
Mが1より大きいときに、前記M個の時間領域リソースのうちの少なくとも1つで前記上り制御信号を送信する
ようにさらに構成される、請求項35に記載の装置。
【請求項３７】
前記受信部が、
前記第2のデバイスによって送信された第5の情報を受信し、前記第5の情報が前記M個の時間領域リソースのうちの少なくとも1つを指示するために使用される、
ようにさらに構成される、請求項35または36に記載の装置。
【請求項３８】
前記決定部が、
第1のリソースを決定する
ようにさらに構成され、
前記送信部が、
前記第1のリソースで前記上り制御信号を送信し、前記第1のリソースが時間領域リソースおよび／または周波数領域リソースを含む、
ようにさらに構成される、請求項27から37のいずれか一項に記載の装置。
【請求項３９】
前記第1のシンボル数が、前記第2のデバイスと前記装置との間のチャネルのチャネル品質に対応している、請求項27から38のいずれか一項に記載の装置。
【請求項４０】
上り制御信号伝送装置であって、前記装置が、
少なくとも1つのリソースで、第1のシンボル数に基づいて第1のデバイスによって送信された上り制御信号を受信し、前記上り制御信号に含まれるシンボル数が第2のシンボル数であり、前記第2のシンボル数が前記第1のシンボル数以上である、ように構成された受信部
を含む、装置。
【請求項４１】
前記装置が、
前記第1のデバイスが第1の参照信号に基づいて第1の測定結果を決定し、前記第1の測定結果に基づいて前記第1のシンボル数を決定するように、前記上り制御信号が受信される前に前記第1のデバイスに前記第1の参照信号を送信するように構成された送信部
をさらに含む、請求項40に記載の装置。
【請求項４２】
前記送信部が、
前記第1のデバイスに第1の情報を送信し、前記第1の情報が前記第1の測定結果と前記第1のシンボル数との間のマッピング関係を指示するために使用される、
ようにさらに構成される、請求項41に記載の装置。
【請求項４３】
前記受信部が、
前記上り制御信号を受信する前に、前記第1のデバイスによって送信された第2の情報を受信し、前記第2の情報が前記第2のシンボル数を指示するために使用される、
ようにさらに構成され、
前記受信部が、
前記第2の情報に基づいて前記上り制御信号を受信する
ようにさらに構成される、請求項41または42に記載の装置。
【請求項４４】
前記送信部が、
前記上り制御信号が受信される前に前記第1のデバイスに第3の情報を送信し、前記第3の情報が前記第1のシンボル数を指示するために使用される、
ようにさらに構成される、請求項43に記載の装置。
【請求項４５】
前記装置が、
第1の時間領域リソースを決定するように構成された決定部
をさらに含み、
前記受信部が、
前記決定部によって決定された前記第1の時間領域リソース内および前記第1の時間領域リソースの後に位置する上り伝送シンボルの一部または全部で前記上り制御信号を受信する
ようにさらに構成される、請求項40から44のいずれか一項に記載の装置。
【請求項４６】
前記受信部が、
前記第1の時間領域リソースと前記第1の時間領域リソースの後との時間領域リソースのうちの少なくとも1つで前記上り制御信号を受信する
ようにさらに構成される、請求項45に記載の装置。
【請求項４７】
前記送信部が、
前記上り制御信号が受信される前に前記第1のデバイスに第4の情報を送信し、前記第4の情報が前記第1の時間領域リソースを指示するために使用される、
ようにさらに構成される、請求項45または46に記載の装置。
【請求項４８】
前記決定部が、
M個の時間領域リソースを決定し、M≧1である、
ようにさらに構成され、
前記受信部が、
前記決定部によって決定された前記M個の時間領域リソース内の上り伝送シンボルの一部または全部で前記上り制御信号を受信する
ようにさらに構成される、請求項45から47のいずれか一項に記載の装置。
【請求項４９】
前記受信部が、
Mが1より大きいときに、前記M個の時間領域リソースのうちの少なくとも1つで前記上り制御信号を受信する
ようにさらに構成される、請求項48に記載の装置。
【請求項５０】
前記送信部が、
前記上り制御信号が受信される前に前記第2のデバイスに第5の情報を送信し、前記第5の情報が前記M個の時間領域リソースのうちの少なくとも1つを指示するために使用される、
ようにさらに構成される、請求項48または49に記載の装置。
【請求項５１】
前記決定部が、
第1のリソースを決定する
ようにさらに構成され、
前記受信部が、
前記決定部によって決定された前記第1のリソースで前記上り制御信号を受信し、前記第1のリソースが時間領域リソースおよび／または周波数領域リソースを含む、
ようにさらに構成される、請求項45から50のいずれか一項に記載の装置。
【請求項５２】
前記第1のシンボル数が、前記装置と前記第1のデバイスとの間のチャネルのチャネル品質と関連付けられる、請求項40から51のいずれか一項に記載の装置。
【発明の詳細な説明】
【技術分野】
【０００１】
本出願は通信分野に関し、より具体的には上り制御信号伝送方法および上り制御信号伝送装置に関する。
【背景技術】
【０００２】
無線通信の正確さおよび信頼性を高めるために、第2のデバイスと第1のデバイスとは、通信プロセスにおいて上り制御信号（または上り制御チャネル）を送信する。
【０００３】
加えて、先行技術では、上り制御信号を搬送するために使用される各上り伝送サブフレーム内のシンボル数が固定されていて14であり、各上り制御信号はただ1つのリソースで伝送される。
【０００４】
しかしながら、通信技術の発展に伴い、各リソースに含まれるシンボル数が変化し、すべてのリソースが上り制御チャネルのための14シンボルを含むとは限らなくなっている。加えて、通信サービスの、上り制御信号によって占有されるシンボル数と送信電力とに関する要件も多様化している。例えば、端末デバイスは、14より大、14、または14未満の数のシンボルを占有することによって上り制御信号を送信しうる。その結果、リソースに含まれるシンボル数が上り制御信号の送信電力要件を満たせなくなる可能性がある。この場合、上り制御信号を搬送するためにリソース内の固定数のシンボルが使用される先行技術の伝送方法が使用されたとすると、端末デバイスは、リソースに含まれるシンボル数が送信電力要件を満たすことができるときに上り制御信号を送信する。これはリソースの無駄を生じ、上り制御信号の伝送遅延を増大させる。
【発明の概要】
【課題を解決するための手段】
【０００５】
本出願は、通信リソースの無駄を低減させ、上り制御信号の伝送遅延を低減させるために、上り制御信号伝送方法および上り制御信号伝送装置を提供する。
【０００６】
第1の態様によれば、上り制御信号伝送方法が提供され、本方法は、第1のデバイスにより、第1のシンボル数を決定するステップと、第1のデバイスにより、第1のシンボル数に基づいて少なくとも1つのリソースで上り制御信号を送信するステップであって、上り制御信号に含まれるシンボル数が第2のシンボル数であり、第2のシンボル数が第1のシンボル数以上である、ステップと、を含む。
【０００７】
上り制御信号は少なくとも1つのリソースで送信される。リソースに含まれるシンボル数が第1のシンボル数より小さい場合、上り制御信号はそのリソースを含む複数のリソースを占有することによって送信されうる。これにより、第1のデバイスと第2のデバイスとの間の上り制御信号伝送の遅延を低減させることができ、リソースオーバーヘッドを低減させることができる。
【０００８】
上り制御信号は、上り制御信号伝送中のリソーススケジューリングの柔軟性を高めるために、第1のシンボル数より大きい数のシンボルを使用して送信される。
【０００９】
第1の態様に関連して、第1の態様の第1の実施態様において、第1のデバイスにより、第1のシンボル数を決定するステップは、第1のデバイスにより、第2のデバイスによって送信された第1の参照信号に基づいて第1の測定結果を決定するステップと、第1のデバイスにより、第1の測定結果に基づいて第1のシンボル数を決定するステップと、を含む。
【００１０】
第1のデバイスは、第2のデバイスによって送信された第1の参照信号を使用して第1のシンボル数を決定し、第1の参照信号は第1のデバイスと第2のデバイスとの間のチャネルのチャネル品質を反映する。したがって、第1の参照信号を使用して決定される第1のシンボル数は、第1のデバイスと第2のデバイスとの間のチャネルの品質と関連付けられる。これにより、第2のデバイスと第1のデバイスとの間の上り制御信号伝送の信頼性が高まる。
【００１１】
第1の態様および第1の態様の前述の実施態様に関連して、本方法は、第1のデバイスにより、第2のデバイスによって送信された第1の情報を受信するステップであって、第1の情報が第1の測定結果と第1のシンボル数との間のマッピング関係を指示するために使用される、ステップ、をさらに含み、第1のデバイスにより、第1の測定結果に基づいて第1のシンボル数を決定するステップは、第1のデバイスにより、マッピング関係と第1の測定結果とに基づいて第1のシンボル数を決定するステップ、を含む。
【００１２】
第1の態様および第1の態様の前述の実施態様に関連して、第1の態様の第3の実施態様において、上り制御信号を送信するステップの前に、本方法は、第1のデバイスにより、第2のデバイスに第2の情報を送信するステップであって、第2の情報が第2のシンボル数を指示するために使用される、ステップ、をさらに含む。
【００１３】
上り制御信号に含まれるシンボル数を指示するために使用される第2の情報が第2のデバイスに送信されるので、第2のデバイスは、より意図的に、第1のデバイスによって送信された上り制御信号を受信する。これにより、第2のデバイスが上り制御信号を受信する正確さおよび信頼性が高まる。
【００１４】
第1の態様および第1の態様の前述の実施態様に関連して、第1の態様の第4の実施態様において、第1のデバイスにより、第1のシンボル数を決定するステップは、第1のデバイスにより、第2のデバイスによって送信された第3の情報を受信するステップであって、第3の情報が第1のシンボル数を指示するために使用される、ステップと、第1のデバイスにより、第3の情報に基づいて第1のシンボル数を決定するステップと、を含む。
【００１５】
第2の参照信号に基づいて第2のデバイスによって決定される第1のシンボル数は第1のデバイスに送信され、第1のシンボル数は、第1のデバイスと第2のデバイスとの間のチャネルのチャネル品質と関連付けられる。これにより、第2のデバイスと第1のデバイスとの間の上り制御信号伝送の信頼性が高まり、よって上り制御信号の伝送範囲が保証される。
【００１６】
第1の態様または第1の態様の前述の実施態様のいずれか1つに関連して、第1の態様の第5の実施態様において、少なくとも1つのリソースを占有することによって上り制御信号を送信するステップは、第1のデバイスにより、第1の時間領域リソースを決定し、第1の時間領域リソース内および第1の時間領域リソースの後に位置する上り伝送シンボルの一部または全部で上り制御信号を送信するステップ、を含む。
【００１７】
第1のデバイスが、上り制御チャネルを送信するための第1の時間領域リソースを決定し、第1の時間領域リソース内および第1の時間領域リソースの後に位置する上り伝送シンボルの一部または全部で上り制御信号を送信するので、第2のデバイスは、より意図的に、第1のデバイスによって送信された上り制御信号を受信する。これにより、第2のデバイスが上り制御信号を受信する正確さおよび信頼性が高まる。
【００１８】
第1の態様および第1の態様の前述の実施態様に関連して、第1の態様の第6の実施態様において、少なくとも1つのリソースを占有することによって上り制御信号を送信するステップは、第1のデバイスにより、第1の時間領域リソースと第1の時間領域リソースの後との時間領域リソースのうちの少なくとも1つで上り制御信号を送信するステップ、を含む。
【００１９】
第1の態様および第1の態様の前述の実施態様に関連して、第1の態様の第7の実施態様において、第1のデバイスにより、第1の時間領域リソースを決定するステップは、第1のデバイスにより、第2のデバイスによって送信された第4の情報を受信するステップであって、第4の情報が第1の時間領域リソースを指示するために使用される、ステップ、を含む。
【００２０】
第2のデバイスが、第1のデバイスに、上り制御信号を送信するための第1の時間領域リソースを指示するので、第1のデバイスが上り制御信号を送信するときに占有される時間周波数領域リソースがより柔軟になる。
【００２１】
第1の態様または第1の態様の前述の実施態様のいずれか1つに関連して、第1の態様の第8の実施態様において、少なくとも1つのリソースを占有することによって上り制御信号を送信するステップは、第1のデバイスにより、M個の時間領域リソースを決定するステップであって、M≧1である、ステップと、第1のデバイスにより、M個の時間領域リソース内の上り伝送シンボルの一部または全部で上り制御信号を送信するステップと、を含む。
【００２２】
第1のデバイスがM個の時間領域リソースを決定し、M個の時間領域リソースで上り制御信号を送信するので、第2のデバイスは、より意図的に、第1のデバイスによって送信された上り制御信号を受信する。これにより、第2のデバイスが上り制御信号を受信する正確さおよび信頼性が高まる。
【００２３】
第1の態様および第1の態様の前述の実施態様に関連して、第1の態様の第9の実施態様において、第1のデバイスにより、M個の時間領域リソースで上り制御信号を送信するステップは、Mが1より大きいときに、第1のデバイスにより、M個の時間領域リソースのうちの少なくとも1つで上り制御信号を送信するステップ、を含む。
【００２４】
第1の態様および第1の態様の前述の実施態様に関連して、第1の態様の第10の実施態様において、第1のデバイスにより、M個の時間領域リソースを決定するステップは、第1のデバイスにより、第2のデバイスによって送信された第5の情報を受信するステップであって、第5の情報がM個の時間領域リソースのうちの少なくとも1つを指示するために使用される、ステップ、を含む。
【００２５】
第1の態様または第1の態様の前述の実施態様のいずれか1つに関連して、第1の態様の第11の実施態様において、本方法は、第1のデバイスにより、第1のリソースを決定するステップ、をさらに含み、少なくとも1つのリソースを占有することによって上り制御信号を送信するステップは、第1のデバイスにより、第1のリソースで上り制御信号を送信するステップであって、第1のリソースが時間領域リソースおよび／または周波数領域リソースを含む、ステップ、を含む。
【００２６】
第1の態様または第1の態様の前述の実施態様のいずれか1つに関連して、第1の態様の第12の実施態様において、第1のシンボル数は、第2のデバイスと第1のデバイスとの間のチャネルのチャネル品質と関連付けられる。
【００２７】
第1のシンボル数を第1のデバイスと第2のデバイスとの間のチャネルのチャネル品質と関連付けることにより、上り制御信号を搬送するために使用されるシンボル数に基づいて決定された、上り制御信号の電力が現在のチャネル状態を確実に満たすようにすることができる。このようにして、上り制御信号を伝送するために使用されるシンボル数を決定する柔軟性に基づいて、第2のデバイスと第1のデバイスとの間の上り制御信号伝送の信頼性を高めることができる。さらに、通信リソースの無駄を回避することができ、通信の信頼性および正確さを高めることができる。
【００２８】
第2の態様によれば、上り制御信号伝送方法が提供され、本方法は、第2のデバイスにより、少なくとも1つのリソースで、第1のシンボル数に基づいて第1のデバイスによって送信された上り制御信号を受信するステップであって、上り制御信号に含まれるシンボル数が第2のシンボル数であり、第2のシンボル数が第1のシンボル数以上である、ステップ、を含む。
【００２９】
上り制御信号は少なくとも1つのリソースで送信される。リソースに含まれるシンボル数が第1のシンボル数より小さい場合、上り制御信号はそのリソースを含む複数のリソースを占有することによって送信されうる。これにより、第1のデバイスと第2のデバイスとの間の上り制御信号伝送の遅延を低減させることができ、伝送範囲を満たしながら、シグナリングオーバーヘッドを低減させることができる。
【００３０】
上り制御信号は、第1のシンボル数より大きい数のシンボルを使用して送信される。これにより、伝送範囲を満たしながら、上り制御信号伝送中のリソーススケジューリングの柔軟性を高めることができる。
【００３１】
第2の態様に関連して、第2の態様の第1の実施態様において、上り制御信号を受信するステップの前に、本方法は、第1のデバイスが第1の参照信号に基づいて第1の測定結果を決定し、第1の測定結果に基づいて第1のシンボル数を決定するように、第2のデバイスにより、第1のデバイスに第1の参照信号を送信するステップ、をさらに含む。
【００３２】
第1のデバイスは、第2のデバイスによって送信された第1の参照信号を使用して第1のシンボル数を決定し、第1の参照信号は第1のデバイスと第2のデバイスとの間のチャネルのチャネル品質を反映する。したがって、第1の参照信号を使用して決定される第1のシンボル数は、第1のデバイスと第2のデバイスとの間のチャネルの品質と関連付けられる。これにより、第2のデバイスと第1のデバイスとの間の上り制御信号伝送の信頼性が高まる。
【００３３】
第2の態様および第2の態様の前述の実施態様に関連して、第2の態様の第2の実施態様において、本方法は、第2のデバイスにより、第1のデバイスに第1の情報を送信するステップであって、第1の情報が第1の測定結果と第1のシンボル数との間のマッピング関係を指示するために使用される、ステップ、をさらに含む。
【００３４】
第2の態様および第2の態様の前述の実施態様に関連して、第2の態様の第3の実施態様において、上り制御信号を受信するステップの前に、本方法は、第2のデバイスにより、第1のデバイスによって送信された第2の情報を受信するステップであって、第2の情報が第2のシンボル数を指示するために使用される、ステップ、をさらに含み、第2のデバイスにより、上り制御信号を受信するステップは、第2のデバイスにより、第2の情報に基づいて上り制御信号を受信するステップ、を含む。
【００３５】
上り制御信号に含まれるシンボル数を指示するために使用される、第1のデバイスによって送信される第2の情報が受信されるので、第2のデバイスは、より意図的に、第1のデバイスによって送信された上り制御信号を受信する。これにより、第2のデバイスが上り制御信号を受信する正確さおよび信頼性が高まる。
【００３６】
第2の態様および第2の態様の前述の実施態様に関連して、第2の態様の第4の実施態様において、上り制御信号を受信するステップの前に、本方法は、第2のデバイスにより、第1のデバイスに第3の情報を送信するステップであって、第3の情報が第1のシンボル数を指示するために使用される、ステップ、をさらに含む。
【００３７】
第2の参照信号に基づいて第2のデバイスによって決定される第1のシンボル数は第1のデバイスに送信され、第1のシンボル数は、第1のデバイスと第2のデバイスとの間のチャネルのチャネル品質と関連付けられる。これにより、第2のデバイスと第1のデバイスとの間の上り制御信号伝送の信頼性が高まり、よって上り制御信号の伝送範囲が保証される。
【００３８】
第2の態様または第2の態様の前述の実施態様のいずれか1つに関連して、第2の態様の第5の実施態様において、少なくとも1つのリソースで上り制御信号を受信するステップは、第2のデバイスにより、第1の時間領域リソースを決定し、第1の時間領域リソース内および第1の時間領域リソースの後に位置する上り伝送シンボルの一部または全部で上り制御信号を受信するステップ、を含む。
【００３９】
第1のデバイスが、上り制御チャネルを送信するための第1の時間領域リソースを決定し、第1の時間領域リソース内および第1の時間領域リソースの後に位置する上り伝送シンボルの一部または全部で上り制御信号を受信するので、第2のデバイスは、より意図的に、第1のデバイスによって送信された上り制御信号を受信する。これにより、第2のデバイスが上り制御信号を受信する正確さおよび信頼性が高まる。
【００４０】
第2の態様および第2の態様の前述の実施態様に関連して、第2の態様の第6の実施態様において、少なくとも1つのリソースで上り制御信号を受信するステップは、第2のデバイスにより、第1の時間領域リソースと第1の時間領域リソースの後との時間領域リソースのうちの少なくとも1つで上り制御信号を受信するステップ、を含む。
【００４１】
第2の態様および第2の態様の前述の実施態様に関連して、第2の態様の第7の実施態様において、上り制御信号を受信するステップの前に、本方法は、第2のデバイスにより、第1のデバイスに第4の情報を送信するステップであって、第4の情報が第1の時間領域リソースを指示するために使用される、ステップ、をさらに含む。
【００４２】
第2のデバイスが、第1のデバイスに、上り制御信号を送信するための第1の時間領域リソースを指示するので、第1のデバイスが上り制御信号を送信するときに占有される時間周波数領域リソースがより柔軟になる。
【００４３】
第2の態様または第2の態様の前述の実施態様のいずれか1つに関連して、第2の態様の第8の実施態様において、少なくとも1つのリソースで上り制御信号を受信するステップは、第2のデバイスにより、M個の時間領域リソースを決定するステップであって、M≧1である、ステップと、第2のデバイスにより、M個の時間領域リソース内の上り伝送シンボルの一部または全部で上り制御信号を受信するステップと、を含む。
【００４４】
第1のデバイスがM個の時間領域リソースを決定し、M個の時間領域リソース内の上り伝送シンボルの一部または全部で上り制御信号を受信するので、第2のデバイスは、より意図的に、第1のデバイスによって送信された上り制御信号を受信する。これにより、第2のデバイスが上り制御信号を受信する正確さおよび信頼性が高まる。
【００４５】
第2の態様および第2の態様の前述の実施態様に関連して、第2の態様の第9の実施態様において、第2のデバイスにより、M個の時間領域リソースで上り制御信号を受信するステップは、Mが1より大きいときに、第2のデバイスにより、M個の時間領域リソースのうちの少なくとも1つで上り制御信号を受信するステップ、を含む。
【００４６】
第2の態様および第2の態様の前述の実施態様に関連して、第2の態様の第10の実施態様において、上り制御信号を受信するステップの前に、本方法は、第2のデバイスにより、第2のデバイスに第5の情報を送信するステップであって、第5の情報がM個の時間領域リソースのうちの少なくとも1つを指示するために使用される、ステップ、をさらに含む。
【００４７】
第2の態様または第2の態様の前述の実施態様のいずれか1つに関連して、第2の態様の第11の実施態様において、本方法は、第2のデバイスにより、第1のリソースを決定するステップ、をさらに含み、少なくとも1つのリソースで上り制御信号を受信するステップは、第2のデバイスにより、第1のリソースで上り制御信号を受信するステップであって、第1のリソースが時間領域リソースおよび／または周波数領域リソースを含む、ステップ、を含む。
【００４８】
第2の態様または第2の態様の前述の実施態様のいずれか1つに関連して、第2の態様の第12の実施態様において、第1のシンボル数は、第2のデバイスと第1のデバイスとの間のチャネルのチャネル品質と関連付けられる。
【００４９】
第1のシンボル数を第1のデバイスと第2のデバイスとの間のチャネルのチャネル品質と関連付けることにより、上り制御信号を搬送するために使用されるシンボル数に基づいて決定された、上り制御信号の電力が現在のチャネル状態を確実に満たすようにすることができる。このようにして、上り制御信号を伝送するために使用されるシンボル数を決定する柔軟性に基づいて、第2のデバイスと第1のデバイスとの間の上り制御信号伝送の信頼性を高めることができる。さらに、通信リソースの無駄を回避することができ、通信の信頼性および正確さを高めることができる。
【００５０】
第3の態様によれば、第1の態様または第1の態様の実施態様のいずれか1つによる上り制御信号伝送方法のステップを実行するように構成されたユニットを含む、上り制御信号伝送装置が提供される。
【００５１】
第4の態様によれば、第2の態様または第2の態様の実施態様のいずれか1つによる上り制御信号伝送方法のステップを実行するように構成されたユニットを含む、上り制御信号伝送装置が提供される。
【００５２】
第5の態様によれば、メモリとプロセッサとを含む、上り制御信号伝送デバイスが提供される。メモリは、コンピュータプログラムを格納するように構成される。プロセッサは、第1のデバイスが第1の態様または第1の態様の実施態様のいずれか1つによる上り制御信号伝送方法を実行するように、メモリからコンピュータプログラムを呼び出し、コンピュータプログラムを実行するように構成される。
【００５３】
第6の態様によれば、メモリとプロセッサとを含む、上り制御信号伝送デバイスが提供される。メモリは、コンピュータプログラムを格納するように構成される。プロセッサは、第2のデバイスが第2の態様または第2の態様の実施態様のいずれか1つによる上り制御信号伝送方法を実行するように、メモリからコンピュータプログラムを呼び出し、コンピュータプログラムを実行するように構成される。
【００５４】
第7の態様によれば、コンピュータプログラム製品が提供される。本コンピュータプログラム製品はコンピュータプログラムコードを含む。第2のデバイスの処理部および送信部またはプロセッサおよび送信機がコンピュータプログラムコードを実行すると、第1のデバイスが、第1の態様または第1の態様の実施態様のいずれか1つによる上り制御信号伝送方法を実行する。
【００５５】
第8の態様によれば、コンピュータプログラム製品が提供される。本コンピュータプログラム製品はコンピュータプログラムコードを含む。第1のデバイスの受信部および処理部または受信機およびプロセッサがコンピュータプログラムコードを実行すると、第2のデバイスが、第2の態様または第2の態様の実施態様のいずれか1つによる上り制御信号伝送方法を実行する。
【００５６】
第9の態様によれば、コンピュータ可読記憶媒体が提供される。本コンピュータ可読記憶媒体はプログラムを格納し、プログラムは、第1のデバイスが、第1の態様または第1の態様の実施態様のいずれか1つによる上り制御信号伝送方法を実行することを可能にする。
【００５７】
第10の態様によれば、コンピュータ可読記憶媒体が提供される。本コンピュータ可読記憶媒体はプログラムを格納し、プログラムは、第2のデバイスが、第2の態様または第2の態様の実施態様のいずれか1つによる上り制御信号伝送方法を実行することを可能にする。
【図面の簡単な説明】
【００５８】
【図１】本出願による通信システムの概略的アーキテクチャ図である。
【図２】本出願による、上り制御信号の伝送範囲と含まれるシンボル数との間の関係の概略図である。
【図３】本出願による上り制御信号伝送方法の概略流れ図である。
【図４】本出願による、M個の時間領域リソースが占有される上り制御信号伝送の概略図である。
【図５】本出願による上り制御信号伝送単位のタイプの一例の概略図である。
【図６】本出願による上り制御信号伝送単位のタイプの別の例の概略図である。
【図７】本出願による上り制御信号伝送単位のタイプのさらに別の例の概略図である。
【図８】本出願による、異なるシンボルおよび異なる周波数領域リソースが占有される上り制御信号伝送の概略図である。
【図９】本出願による上り制御信号伝送装置の概略ブロック図である。
【図１０】本出願による上り制御信号伝送装置の概略ブロック図である。
【発明を実施するための形態】
【００５９】
以下で、本出願の添付の図面に関連して、本出願の技術的解決策を明確かつ十分に説明する。
【００６０】
本明細書で使用される「構成要素」、「モジュール」、「システム」などの用語は、コンピュータに関連したエンティティ、ハードウェア、ファームウェア、ハードウェアとソフトウェアの組み合わせ、ソフトウェア、または実行されているソフトウェアを提示するために使用される。例えば、構成要素は、プロセッサ上で動作するプロセス、プロセッサ、オブジェクト、実行可能ファイル、実行スレッド、プログラム、および／またはコンピュータを含みうるが、これに限定されない。各図に示すように、コンピューティングデバイス上で動作するアプリケーションとコンピューティングデバイスはどちらも構成要素でありうる。1つまたは複数の構成要素がプロセスおよび／または実行スレッド内にあってよく、構成要素は、1台のコンピュータ上に位置し、かつ／または2台以上のコンピュータ間で分散されうる。加えて、これらの構成要素は、様々なデータ構造を格納する様々なコンピュータ可読媒体から実行されてもよい。構成要素は、例えば、ローカルプロセスおよび／またはリモートプロセスを使用して、1つまたは複数のデータパケット（例えば、ローカルシステム、分散システム、および／または、信号を使用して別のシステムとやりとりするインターネットなどのネットワークにおいて別の構成要素とやりとりする2つの構成要素からのデータ）を有する信号に基づいて通信しうる。
【００６１】
本出願における技術的解決策は様々な通信システム、例えば、モバイル通信用グローバルシステム（Global System of Mobile communication、略称「GSM（登録商標）」）のシステム、符号分割多元接続（Code Division Multiple Access、略称「CDMA」）システム、広帯域符号分割多元接続（Wideband Code Division Multiple Access、略称「WCDMA（登録商標）」）システム、汎用パケット無線サービス（General Packet Radio Service、略称「GPRS」）、ロングタームエボルーション（Long Term Evolution、略称「LTE」）システム、ロングタームエボルーションアドバンスト（Advanced long term evolution、略称「LTE−A」）システム、ユニバーサル移動電話システム（Universal Mobile Telecommunication System、略称「UMTS」）、5G新エアインターフェース通信システム（5G New Radio、略称「NR」）、または次世代通信システムに適用されうることを理解されたい。
【００６２】
次世代移動通信システムは、従来の通信をサポートするのみならず、例えば、マシンツーマシン（Machine to Machine、略称「M2M」）通信や、車両間（Vehicle to Vehicle、略称「V2V」）通信もサポートする。M2M通信は、マシンタイプコミュニケーション（Machine Type Communication、略称「MTC」）と呼ばれることもある。
【００６３】
本出願では第1のデバイスに関連した実施形態について説明する。第1のデバイスは、ユーザ機器（User Equipment、略称「UE」）ユーザ機器、アクセス端末、加入者ユニット、加入者局、移動局、モバイルコンソール、リモート局、リモート端末、モバイルデバイス、ユーザ端末、端末、無線通信デバイス、ユーザエージェント、ユーザ装置などとも呼ばれうる。第1のデバイスは、無線ローカルエリアネットワーク（Wireless Local Area Networks、略称「WLAN」）内の局（STATION、略称「ST」）であってもよく、または携帯電話、コードレス電話機、セッション開始プロトコル（Session Initiation Protocol、略称「SIP」）電話、ワイヤレスローカルループ（Wireless Local Loop、略称「WLL」）局、パーソナルデジタル処理（Personal Digital Assistant、略称「PDA」）デバイス、無線通信機能を備えたハンドヘルドデバイス、コンピューティングデバイス、無線モデムに接続された別の処理デバイス、車載デバイス、ウェアラブルデバイス、第5世代（fifth−generation、略称「5G」）ネットワークなどの次世代通信システムにおける第1のデバイス、将来の進化した公衆陸上移動網（Public Land Mobile Network、略称「PLMN」）のネットワークにおける第1のデバイスなどであってもよい。
【００６４】
加えて、本出願では第2のデバイスに関連した実施形態についても説明する。第2のデバイスは、モバイルデバイスと通信するように構成された第2のデバイスなどのデバイスでありうる。第2のデバイスは、WLANにおけるアクセスポイント（ACCESS POINT、略称「AP」）、GSM（登録商標）またはCDMAにおける基地局（Base Transceiver Station、略称「BTS」）、WCDMA（登録商標）におけるNodeB（NodeB、略称「NB」）、LTEにおける進化型NodeB（Evolutional NodeB、略称「eNB」または「eNodeB」）、中継局、アクセスポイント、車載デバイス、ウェアラブルデバイス、将来の5Gネットワークにおける第2のデバイス、将来の進化型PLMNネットワークにおける第2のデバイスなどでありうる。
【００６５】
本出願で提供される方法および装置は、第1のデバイスまたは第2のデバイスに適用されうる。第1のデバイスまたは第2のデバイスは、ハードウェア層、ハードウェア層の上で動作するオペレーティングシステム層、およびオペレーティングシステム層の上で動作するアプリケーション層を含む。ハードウェア層は、中央処理装置（Central Processing Unit、略称「CPU」）、メモリ管理ユニット（Memory Management Unit、略称「MMU」）、メモリ（メインメモリとも呼ばれる）などのハードウェアを含む。オペレーティングシステムは、プロセス（Process）を使用してサービス処理を実施する任意の1つまたは複数のオペレーティングシステムであってよく、例えば、Linux（登録商標）オペレーティングシステム、Unixオペレーティングシステム、Androidオペレーティングシステム、iOSオペレーティングシステム、またはwindowsオペレーティングシステムである。アプリケーション層は、ブラウザ、連絡先、ワードプロセッシングソフトウェア、インスタントメッセージングソフトウェアなどのアプリケーションを含む。加えて、本出願では、本出願の信号伝送方法のコードを記録したプログラムを実行することによって本出願の信号伝送方法に従って通信を行うことができれば、信号伝送方法の実行主体は、本出願では特に限定されない。例えば、本出願のフィードバック情報伝送方法の実行主体は、第1のデバイスもしくは第2のデバイスであってもよく、または第1のデバイスもしくは第2のデバイス内にあり、プログラムを呼び出して実行することができる機能モジュールであってもよい。
【００６６】
加えて、本出願の態様または特徴は、方法、装置、または標準的なプログラミング技術および／もしくはエンジニアリング技術を使用する製品として実施されうる。本出願で使用される「製品」という用語は、任意のコンピュータ可読デバイス、キャリアまたは媒体からアクセスできるコンピュータプログラムを包含する。例えば、コンピュータ可読媒体には、磁気記憶デバイス（例えば、ハードディスク、フロッピー（登録商標）ディスク、磁気テープ）、光ディスク（例えば、コンパクトディスク（Compact Disc、略称「CD」）やデジタル多用途ディスク（Digital Versatile Disc、略称「DVD」））、スマートカード、フラッシュメモリデバイス（例えば、消去書込み可能読取り専用メモリ（Erasable Programmable Read−Only Memory、略称「EPROM」）、カード、スティック、キードライブ）が含まれうるが、これに限定されない。加えて、本出願に記載される様々な記憶媒体は、情報を格納するように構成された1つまたは複数のデバイスおよび／または他の機械可読媒体も表しうる。「機械可読媒体」という用語には、命令および／またはデータを格納し、含み、かつ／または搬送することができる無線チャネルや様々な他の媒体が含まれうるが、これに限定されない。
【００６７】
図1は、本出願における上り制御信号伝送方法および上り制御信号伝送装置が適用可能な通信システムの概略図である。図1に示すように、通信システム100は第2のデバイス102を含む。第2のデバイス102は、複数のアンテナ、例えば、アンテナ104、アンテナ106、アンテナ108、アンテナ110、アンテナ112、およびアンテナ114を含みうる。加えて、第2のデバイス102は、送信側リンクおよび受信側リンクもさらに含みうる。送信側リンクと受信側リンクの両方が、信号の送受信に関連した複数の部分（例えば、プロセッサ、変調器、マルチプレクサ、復調器、デマルチプレクサ、アンテナ）を含みうることを当業者は理解できよう。
【００６８】
第2のデバイス102は、複数の第1のデバイス（例えば、第1のデバイス116や第1のデバイス122）と通信しうる。しかし、第2のデバイス102は第1のデバイス116や第1のデバイス122と同様の任意の台数の第1のデバイスと通信しうることが理解されよう。第1のデバイス116および第1のデバイス122は、例えば、携帯電話、スマートフォン、ポータブルコンピュータ、ハンドヘルド通信デバイス、ハンドヘルドコンピューティングデバイス、衛星無線装置、全地球測位システム、PDA、および／または無線通信システム100において通信に使用される任意の他の適切なデバイスでありうる。
【００６９】
図1に示すように、第1のデバイス116は第2のデバイス102と通信する。この場合、アンテナ112およびアンテナ114は、順方向リンク118上で第1のデバイス116に情報を送信し、逆方向リンク120上で第1のデバイス116から情報を受信する。加えて、第1のデバイス122も第2のデバイス102と通信する。この場合、アンテナ104およびアンテナ106は、順方向リンク124上で第1のデバイス122に情報を送信し、逆方向リンク126上で第1のデバイス122から情報を受信する。
【００７０】
例えば、周波数分割複信（Frequency Division Duplex、略称「FDD」）システムでは、例えば、順方向リンク118が使用する周波数帯域と逆方向リンク120が使用する周波数帯域とは異なり、順方向リンク124が使用する周波数帯域と逆方向リンク126が使用する周波数帯域とは異なる。
【００７１】
別の例として、時間分割複信（Time Division Duplex、略称「TDD」）システムおよび全二重（Full Duplex）システムでは、順方向リンク118が使用する周波数帯域と逆方向リンク120が使用する周波数帯域とは同じであり、順方向リンク124が使用する周波数帯域と逆方向リンク126が使用する周波数帯域とは同じである。
【００７２】
各アンテナ（もしくは複数のアンテナを含むアンテナグループ）および／または通信のために設計されたエリアを第2のデバイス102のセクタと呼ぶ。例えば、アンテナグループは、第2のデバイス102のカバレッジエリアのセクタ内の第1のデバイスと通信するように設計されうる。第2のデバイス102が、順方向リンク118および順方向リンク124をそれぞれ使用して第1のデバイス116および第1のデバイス122と通信するプロセスにおいて、第2のデバイス102の送信アンテナは、ビームフォーミングによって順方向リンク118および順方向リンク124の信号対雑音比を増加させうる。加えて、第2のデバイスが単一のアンテナを使用して、第2のデバイスに対応するすべての第1のデバイスに信号を送信する方法と比較して、第2のデバイス102が、ビームフォーミングによって、関連したカバレッジエリアにランダムに分布する第1のデバイス116および第1のデバイス122に信号を送信する場合に、近隣のセル内のモバイルデバイスへの干渉が比較的小さい。
【００７３】
特定の時刻に、第2のデバイス102、第1のデバイス116、または第1のデバイス122は、無線通信送信装置および／または無線通信受信装置でありうる。データを送信するとき、無線通信送信装置は、伝送用のデータを符号化しうる。具体的には、無線通信送信装置は、チャネルを介して無線通信受信装置に送信されるべき特定のデータビット数を取得しうる（例えば、特定のデータビット数が生成され、別の通信装置から受信され、またはメモリに格納される）。そのようなデータビットは、データのトランスポートブロック（または複数のトランスポートブロック）に含まれていてよく、トランスポートブロックは複数のコードブロックを生成するようにセグメント化されうる。
【００７４】
加えて、通信システム100は、PLMNネットワーク、D2Dネットワーク、M2Mネットワーク、または別のネットワークでもありうる。図1は、単に例として使用した簡略化された概略図にすぎない。ネットワークは、図1に示されていない別の第2のデバイスをさらに含みうる。
【００７５】
本出願では、送信デバイスは、第2のデバイス102の場合もあり、第1のデバイス（例えば、第1のデバイス116や第1のデバイス122）の場合もあることに留意されたい。これに対応して、受信デバイスも、第1のデバイス（例えば、第1のデバイス116や第1のデバイス122）の場合もあり、第2のデバイス102の場合もある。これについては本出願では特に限定されない。
【００７６】
既存のロングタームエボルーション（Long Term Evolution、略称「LTE」）システムでは、上り制御チャネルは、周波数領域では、上りタイムスロットに対応する周波数領域の両端を占有し、両端の各々で、物理リソースブロック（Physical Resource Block、略称「PRB」）の周波数領域リソースの一部を占有し、時間領域では14シンボルを占有し、各シンボルの持続時間は1msである。上り制御チャネルによって占有される時間領域リソースおよび周波数領域リソースはどちらも固定されていることが分かる。しかし、将来の第5世代移動通信（5th−Generation、略称「5G」）では、すべてのタイムスロットまたはサブフレームが上り制御チャネルのために14シンボルを含むとは限らず、サブキャリア間隔の変化により、すべてのタイムスロットまたはサブフレームが1msの持続時間を有するとは限らない。したがって、14未満のシンボルを含むタイムスロットにおいて、対応するタイムスロットの持続時間が1ms未満である場合、ユーザ機器（User Equipment、略称「UE」）による上り制御信号伝送の伝送範囲を保証することができない。
【００７７】
上り制御信号伝送中の、上り制御信号に含まれるシンボル数と上り制御信号の伝送範囲との関係が図2に示されている。上り制御信号に含まれるシンボル数が増加すると、上り制御信号の伝送範囲も増加することが分かる。
【００７８】
図3は、本出願の一実施形態による上り制御信号伝送方法の概略流れ図である。図3の第1のデバイスは図1の第1のデバイス116および第1のデバイス122であってよく、図3の第2のデバイスは図1の第2のデバイス102であってよい。当然ながら、実際のシステムでは、第2のデバイスの台数および第1のデバイスの台数は、本実施形態または別の実施形態の例に限定されない場合もあり、これについては以下では繰り返さない。
【００７９】
210：第1のデバイスが、第1のシンボル数を決定する。
【００８０】
任意選択で、第1のデバイスは、第2のデバイスによって送信された第1の参照信号に基づいて第1の測定結果を決定し、第1の測定結果に基づいて第1のシンボル数を決定する。
【００８１】
任意選択で、第1のシンボル数は、端末デバイスとネットワークデバイスとの間のチャネルのチャネル品質と関連付けられる。
【００８２】
具体的には、本出願では、第1のデバイスは、第2のデバイスによって送信された第1の参照信号を受信する。第1の参照信号は、セル固有参照信号（Cell−specific Reference Signals、略称「CRS」）、UE固有参照信号（UE−specific Reference Signals、略称「URS」）、復調参照信号（Demodulation Reference Signals、略称「DRS」）、MBSFN参照信号（Multimedia Broadcast multicast service Single Frequency Network Reference Signals、略称「MBSFN−RS」）、位置決定参照信号（Positioning Reference Signals、略称「PRS」）、およびCSI参照信号（CSI Reference Signals、略称「CSI−RS」）のうちの少なくとも1つでありうる。第1のデバイスは、第1の参照信号の第1の測定結果を得るために、第1の参照信号を測定する。第1の測定結果は、第1のデバイスと第2のデバイスとの間のチャネルのチャネル品質と関連付けられる。第1の測定結果は、受信電力（Reference Signal Receiving Power、略称「RSRP」）、受信品質（Reference Signal Receiving Quality、略称「RSRQ」）、または受信強度（Received Signal Strength Indicator、「RSSI」）のうちの少なくとも1つでありうる。第1のデバイスは、第1の測定結果に基づいて、第1の測定結果に対応する、第1のデバイスと第2のデバイスとの間のチャネルの、チャネル品質状況を決定し、第1のデバイスと第2のデバイスとの間のチャネル品質状況に基づいて対応する第1のシンボル数を決定する。このようにして、第1のデバイスが第1のシンボル数を使用して上り制御信号を送信するときに、第2のデバイスは上り制御信号を正常に受信することができる。これにより、第1のデバイスと第2のデバイスとの間の上り制御信号伝送の電力要件が満たされる。具体的には、これにより上り制御信号の伝送範囲を満たすことができる。
【００８３】
本出願では、第1のシンボル数を決定するための方法が、第1のデバイスが第1の参照信号に基づいて第1のシンボル数を決定する例を使用してのみ説明されていることを理解されたい。しかし、本出願はこれに限定されない。代替として、第1のシンボル数は別の方法を使用して決定されてもよい。
【００８４】
任意選択で、本出願では、第1のデバイスは、第2のデバイスによって送信された第1の情報を受信し、第1の情報は第1の測定結果と第1のシンボル数との間のマッピング関係を指示するために使用され、第1のデバイスは、マッピング関係と第1の測定結果とに基づいて第1のシンボル数を決定する。
【００８５】
具体的には、本出願では、第1のデバイスは、第2のデバイスによって送信された第1の情報を受信し、第1の情報は、第1の測定結果を含む複数の測定結果と、第1のシンボル数を含む複数のシンボル数との間のマッピング関係を指示するために使用される。第1の情報は、複数の測定結果と複数のシンボル数との間のマッピング関係、すなわち、xがシンボル数であり、yが測定結果である、マッピング関係式x＝f（y）を指示するマッピング関係表でありうる。測定結果yは、計算によって第1のシンボル数を得るために、式x＝f（y）に代入される。例えば、yがI2である場合、式を使用して計算によって第1のシンボル数x＝4が得られる。マッピング関係表を表1に示す。第1のデバイスは、マッピング関係表に基づき、表を探索することによって、第1の測定結果に対応するシンボル数を求めてマッピング関係表を探索し、第1の測定結果に対応するシンボル数を第1のシンボル数として使用する。例えば、第1の測定結果の値が表においてI3である場合、表中のシンボル数7が第1のシンボル数として決定される。
【００８６】
【表１】
2020503727.tif 000003
【００８７】
本出願では、表1の測定結果の値とシンボル数との対応関係は単に説明のための例として使用されているにすぎないことを理解されたい。特定の値の間の対応関係は、表1に記載された値に限定されない。
【００８８】
本出願では、マッピング関係表またはマッピング関係式は、単に複数の測定結果と複数のシンボル数との間のマッピング関係を説明するための例として使用されているにすぎないことをさらに理解されたい。しかし、本出願はこれに限定されない。代替として、複数の測定結果と複数のシンボル数とのマッピング関係が別の方法で説明されてもよい。
【００８９】
任意選択で、第1のデバイスは、第2のデバイスによって送信された第3の情報を受信し、第3の情報は、第1のシンボル数を指示するために使用され、第1のデバイスは、第3の情報に基づいて第1のシンボル数を決定する。
【００９０】
具体的には、本出願では、第1のデバイスは第2のデバイスに第2の参照信号を送信しうるので、第2のデバイスは、第2の参照信号に基づいて第1のデバイスと第2のデバイスとの間のチャネルの品質を測定して、第2の測定結果を決定し、第2の測定結果に基づいて第1のシンボル数を決定する。第2の参照信号は、サウンディング参照信号（Sounding Reference Signal、略称「SRS」）と復調参照信号（Demodulation Reference Signal、略称「DMRS」）の少なくとも1つを含む。第2のデバイスは、第2の参照信号に基づいて第1のデバイスと第2のデバイスとの間のチャネルのチャネル品質を測定して、第2の測定結果を決定する。第2のデバイスは、代替としてUEの位置情報を測定して、第2の測定結果を決定してもよい。第2測定結果は、受信電力（Reference Signal Receiving Power、略称「RSRP」）、受信品質（Reference Signal Receiving Quality、略称「RSRQ」）、または受信強度（Received Signal Strength Indicator、「RSSI」）のうちの少なくとも1つでありうる。第2のデバイスは、第2の測定結果に基づいて第1のシンボル数を決定する。第1のデバイスは、第2のデバイスによって送信された第3の情報を受信し、第3の情報は、第1のデバイスに第1のシンボル数を指示するために使用され、第1のデバイスは、第3の情報に基づいて第1のシンボル数を決定する。第3の情報は、下り制御情報（Downlink Control Information、略称「DCI」）、無線リソース制御（Radio Resource Control、略称「RRC」）シグナリング、およびブロードキャスト情報のうちの少なくとも1つを使用して、第2のデバイスによって第1のデバイスに送信されうる。
【００９１】
本出願では、第2のデバイスが、下り制御情報DCI、RRC構成シグナリング、またはブロードキャスト情報を使用して第1のデバイスに第3の情報を送信することは、単に例として使用されているにすぎないことを理解されたい。しかし、本出願はこれに限定されない。代替として、第2のデバイスは、他の情報を使用して第1のデバイスに第3の制御情報を送信してもよい。
【００９２】
任意選択で、第3の情報に含まれる内容は、第1のデバイスが上り制御信号を送信するためのリソースに関する情報である。例えば、このリソースは、1つもしくは複数のサブフレームまたは1つもしくは複数のタイムスロットであってもよい。リソースに含まれる上り伝送シンボルの数が第1のシンボル数である。
【００９３】
220：第1のデバイスが、第1のシンボル数に基づいて少なくとも1つのリソースで上り制御信号を送信し、上り制御信号に含まれるシンボル数は第2のシンボル数であり、第2のシンボル数が第1のシンボル数以上である。
【００９４】
具体的には、第1のデバイスが決定された第1のシンボル数に基づいて少なくとも1つリソースで第2のデバイスに上り制御信号を送信することは、第1のデバイスが、ただ1つのリソースで上り制御信号を送信しうること、または複数のリソースで上り制御信号を送信しうることを意味する。上り制御信号に含まれるシンボル数は第2のシンボル数であり、第2のシンボル数は第1のシンボル数以上である。複数のリソースで上り制御信号を送信するのは、リソースに含まれるシンボル数が第1のシンボル数より小さいときに、第2のデバイスと第1のデバイスとの間の伝送チャネルの上り制御信号電力要件が、複数のリソースで上り制御信号を伝送することによって確実に満たされるようにするためである。
【００９５】
任意選択で、第1のデバイスは、第1の時間領域リソースを決定し、第1の時間領域リソース内および第1の時間領域リソースの後に位置する上り伝送シンボルの一部または全部で上り制御信号を送信する。
【００９６】
具体的には、第1のデバイスが第1の時間領域リソースを決定することは、第1のデバイスが上り制御信号を送信するための開始サブフレームまたはタイムスロットを決定することを意味し、開始サブフレームまたはタイムスロットから開始して、第1のデバイスは、第1の時間領域リソース内および第1の時間領域リソースの後に位置する上り伝送シンボルの一部または全部で上り制御信号を送信する。
【００９７】
例えば、第1のデバイスは、第（n＋k）のサブフレームまたはタイムスロットから上り制御信号の送信を開始してよく、nは、第2のデバイスが第1のデバイスに下りデータを送信するためのサブフレームまたはタイムスロットの番号であり、kは、非負の整数である。第1のデバイスは、第nのサブフレームまたはタイムスロットで、第2のデバイスによって送信された下りデータを受信する。kが0であるとき、上り制御信号を送信するための第1の時間領域リソースは、第1のデバイスが下りデータを受信するための第nのサブフレームまたはタイムスロットである。第nのサブフレームまたはタイムスロットから開始して、第1のデバイスは、第nのサブフレームまたはタイムスロット内と第nのサブフレームまたはタイムスロットの後とのサブフレームまたはタイムスロット内の、上り制御信号伝送が可能なシンボルの一部または全部で、上り制御信号の送信が完了するまで、第1のデバイスによって受信された下りデータに対応する上り制御信号を送信する。kが0より大きいとき、上り制御信号を送信するための第1の時間領域リソースは、第1のデバイスが下りデータを受信するためのサブフレームまたはタイムスロットの後のサブフレームまたはタイムスロットである。第（n＋k）のサブフレームまたはタイムスロットから開始して、第1のデバイスは、第（n＋k）のサブフレームまたはタイムスロットおよび後続のサブフレームまたはタイムスロット内の、上り制御信号伝送が可能なシンボルの一部または全部で、上り制御信号の送信が完了するまで、第1のデバイスによって受信された下りデータに対応する上り制御信号を送信する。具体的には、第1のデバイスは、第（n＋k）のサブフレームもしくはタイムスロットから開始して、第（n＋k）のサブフレームもしくはタイムスロットおよび後続のサブフレームもしくはタイムスロット内の、上り制御信号伝送が可能なシンボルの全部で、第1のデバイスによって受信された下りデータに対応する上り制御信号を送信してもよく、または第（n＋k）のサブフレームもしくはタイムスロットから開始して、第（n＋k）のサブフレームもしくはタイムスロットおよび後続のサブフレームもしくはタイムスロット内の、上り制御信号伝送が可能なシンボルの一部のみで、第1のデバイスによって受信された下りデータに対応する上り制御信号を送信してもよい。これについては本出願では限定されない。
【００９８】
第1のデバイスが第1の時間領域リソースおよび第1の時間領域リソースの後のリソースで上り制御信号を送信するときには、1つまたは複数の時間領域リソースが上り制御信号を送信するために占有されうることを理解されたい。複数の時間領域リソースは、連続した時間領域リソースであってもよく、不連続の時間領域リソースであってもよい。これについては本出願では限定されない。
【００９９】
任意選択で、第1のデバイスは、第1の時間領域リソースと第1の時間領域リソースの後との時間領域リソースのうちの少なくとも1つで上り制御信号を送信する。
【０１００】
具体的には、第1のデバイスが第1の時間領域リソースを決定することは、第1のデバイスが上り制御信号を送信するための開始サブフレームまたはタイムスロットを決定することを意味し、開始サブフレームまたはタイムスロットから開始して、第1のデバイスは、第1の時間領域リソースと第1の時間領域リソースの後との時間領域リソースのうちの少なくとも1つで上り制御信号を送信する。
【０１０１】
例えば、第1のデバイスは、第（n＋k）のサブフレームまたはタイムスロットから上り制御信号の送信を開始し、1つのサブフレームまたはタイムスロットで上り制御信号の送信を完了することができ、nは、第2のデバイスが第1のデバイスに下りデータを送信するためのサブフレームまたはタイムスロットの番号であり、kは、非負の整数である。第1のデバイスは、第nのサブフレームまたはタイムスロットで、第2のデバイスによって送信された下りデータを受信する。kが0であるとき、第1のデバイスは、下りデータを受信するための第nのサブフレームもしくはタイムスロットで、または第nのサブフレームもしくはタイムスロットの後の1つのサブフレームもしくはタイムスロットで上り制御信号の送信を完了する。kが0より大きいとき、第1のデバイスは、第（n＋k）のサブフレームもしくはタイムスロットで、または第（n＋k）のサブフレームもしくはタイムスロットの後の1つのサブフレームもしくはタイムスロットで上り制御信号の送信を完了する。
【０１０２】
任意選択で、第1のデバイスは、第2のデバイスによって送信された第4の情報を受信し、第4の情報は第1の時間領域リソースを指示するために使用される。
【０１０３】
具体的には、第1のデバイスは、第2のデバイスによって送信された第4の情報を受信し、第4の情報は、第1のデバイスに、上り制御信号を送信するための第1の時間領域リソースの位置を指示するために使用され、第1のデバイスは、第4の情報に基づいて、上り制御信号を送信するための第1の時間領域リソースの位置を決定する。例えば、第4の情報は、第1のデバイスが上り制御信号を送信するための第1の時間領域リソースのサブフレームまたはタイムスロット番号を含む。第1のデバイスは、第4の情報に基づいて、第（n＋k）のサブフレームもしくはタイムスロットから上り制御信号の送信を開始することを決定する。
【０１０４】
任意選択で、第2のデバイスは、下り制御シグナリング、RRCシグナリング、ブロードキャストシグナリング、または事前構成の各方法のうちの少なくとも1つで第1のデバイスに第4の情報を送信してもよい。
【０１０５】
本出願では、前述のいくつかの送信方法は、単に第4の情報の送信方法を説明するために例として使用されているにすぎないことを理解されたい。しかし、本出願はこれに限定されない。
【０１０６】
本出願では、第4の情報が第1の時間領域リソースの位置を指示するために使用されることは、単に第4の情報の機能を説明するための例として使用されているにすぎないことをさらに理解されたい。しかし、本出願はこれに限定されない。
【０１０７】
任意選択で、第1のデバイスは、M≧1であるM個の時間領域リソースを決定する。
【０１０８】
第1のデバイスは、M個の時間領域リソースに含まれるシンボルの一部または全部で上り制御信号を送信する。
【０１０９】
例えば、第1のデバイスは、第（n＋k）のサブフレームまたはタイムスロットから上り制御信号の送信を開始し、第（n＋m）のサブフレームまたはタイムスロットで上り制御信号の送信を完了してもよい。M個の時間領域リソース内のシンボルの一部または全部が上り制御信号を送信するために占有され、nは、第1のデバイスが、第2のデバイスによって送信された下りデータを受信するためのサブフレームまたはタイムスロットの数であり、kは、非負の整数であり、mは、正の整数である。第1のデバイスは、第nのサブフレームまたはタイムスロットで下りデータの受信を開始する。kが0であるとき、図4に示すように、第1のデバイスは、第nのサブフレームまたはタイムスロットで上り制御信号の送信を開始し、第（n＋m）のサブフレームまたはタイムスロットの終わりに上り制御信号の送信を完了する。この場合、第1のデバイスは、上り制御信号の送信を完了するために合計M（M＝m＋1）個のサブフレームまたはタイムスロットを占有する。mが2であるとき、これは、第1のデバイスが上り制御信号の送信を完了するために合計3個のサブフレームまたはタイムスロットを占有することを意味する。kが0より大きいとき、第1のデバイスは、第（n＋k）のサブフレームまたはタイムスロットで上り制御信号の送信を開始し、第（n＋m）のサブフレームまたはタイムスロットの終わりに上り制御信号の送信を完了する。この場合、第1のデバイスは、上り制御信号の送信を完了するために合計M（M＝m＋1−k）個のサブフレームまたはタイムスロットを占有する。
【０１１０】
任意選択で、Mが1より大きいときに、第1のデバイスは、M個の時間領域リソースのうちの少なくとも1つで上り制御信号を送信する。
【０１１１】
具体的には、Mが1より大きいとき、これは、上り制御信号を送信するために利用できるリソースが複数あることを指示し、第1のデバイスは、複数の時間領域リソースで上り制御信号を送信してもよく、または複数の時間領域リソースのうちのただ1つで上り制御信号を送信してもよい。
【０１１２】
M個の時間領域リソースは、連続した時間領域リソースであってもよく、不連続の時間領域リソースであってもよいことを理解されたい。これについては本出願では限定されない。
【０１１３】
任意選択で、第1のデバイスは、上り制御信号を伝送するための伝送単位を決定し、上り制御信号伝送単位で上り制御信号を伝送する。
【０１１４】
例えば、1つの上り制御信号伝送単位はM個のサブフレームまたはタイムスロットを含み、M≧1である。第1のデバイスは、1つの上り制御信号伝送単位で上り制御信号の送信を完了する。図5に示すように、1つの上り制御信号伝送単位は、1つのタイムスロットを含み、タイムスロット1、タイムスロット2、タイムスロット3、およびタイムスロット4の各々が上り制御信号伝送単位である。この場合、第1のデバイスは、1つの上り制御信号伝送単位内の上り伝送シンボルの全部または一部で上り制御信号の送信を完了する。図6に示すように、1つの上り制御信号伝送単位は、2つのタイムスロットを含み、タイムスロット1およびタイムスロット2は、第1の上り制御信号伝送単位として使用され、タイムスロット3およびタイムスロット4は第2の上り制御信号伝送単位として使用される。この場合、第1のデバイスは、決定された第1の上り制御信号伝送単位または第2の上り制御信号伝送単位内の上り伝送シンボルの全部または一部で上り制御信号の送信を完了する。図7に示すように、1つの上り制御信号伝送単位は、4つのタイムスロットを含み、タイムスロット1、タイムスロット2、タイムスロット3、およびタイムスロット4は合わさって1つの上り制御信号伝送単位を構成する。この場合、第1のデバイスは、決定された1つの上り制御信号伝送単位内の上り伝送シンボルの全部または一部で上り制御信号の送信を完了する。
【０１１５】
本出願では、前述のいくつかの種類の上り制御信号伝送単位は、単に上り制御信号伝送単位の種類を説明するための例として使用されているにすぎないことを理解されたい。しかし、本出願はこれに限定されない。上り制御信号伝送単位は、代替として、別の種類を有していてもよい。
【０１１６】
本出願では、連続したタイムスロットは、単に上り制御信号伝送単位の種類を説明するための例として使用されているにすぎないことをさらに理解されたい。しかし、本出願はこれに限定されない。上り制御信号伝送単位は、代替として、不連続のサブフレームまたはタイムスロットであってもよい。
【０１１７】
上り制御信号伝送単位に含まれるサブフレームまたはタイムスロットの種類は本出願では限定されないことをさらに理解されたい。上り制御信号伝送単位に含まれるサブフレームまたはタイムスロットは、下りサブフレームもしくはタイムスロットに主に使用されてもよく、上りサブフレームもしくはタイムスロットに主に使用されてもよく、または上りサブフレームもしくはタイムスロットであってもよい。
【０１１８】
任意選択で、第1のデバイスは、第2のデバイスによって送信された第5の情報を受信し、第5の情報はM個の時間領域リソースのうちの少なくとも1つを指示するために使用される。
【０１１９】
具体的には、第1のデバイスは、第2のデバイスによって送信された第5の情報を受信し、第5の情報はM個の時間領域リソースのうちの少なくとも1つを指示するために使用される。例えば、第5の情報は、M個の時間領域リソースのうちの1つを指示することができ、第1のデバイスは、第5の情報に基づいて、上り制御信号を送信するための開始時間領域リソースの位置を決定し、開始時間領域リソースから開始して、開始時間領域リソースの後のM個の時間領域リソースで上り制御信号を送信する。別の例として、第5の情報は、M個の時間領域リソースの各々または一部を含むこともできる。例えば、第5の情報は、M個の時間領域リソースの各々または一部におけるサブフレームまたはタイムスロットの番号を指示することができ、第1のデバイスは、第5の情報に基づいてM個の時間領域リソースの全部または一部で上り制御信号を送信する。
【０１２０】
任意選択で、第2のデバイスは、下り制御シグナリング、RRCシグナリング、ブロードキャストシグナリング、または事前構成の各方法のうちの少なくとも1つで第1のデバイスに第5の情報を送信してもよい。
【０１２１】
任意選択で、本出願では、第1のデバイスが上り制御信号を送信するための第1の時間領域リソースの位置および第2のデバイスが上り制御信号を受信するための第1の時間領域リソースの位置が、システムによって事前構成されてもよい。加えて、第1のデバイスが上り制御信号を送信するために占有するM個の時間領域リソースの位置および第2のデバイスが上り制御信号を受信するために占有するM個の時間領域リソースの位置もシステムによって事前構成されてもよい。第1のデバイスが上り制御信号を送信する前に、第1のデバイスと第2のデバイスとの間の上り制御信号伝送のための時間領域リソースの開始位置または上り制御信号が占有するM個の時間領域リソースの位置がシステムによってすでに事前構成されており、上り制御信号伝送のための時間領域リソースの開始位置がピアエンドに指示される必要はない。例えば、システムによって事前構成された第1の時間領域リソースの位置は第（n＋k）のサブフレームまたはタイムスロットである。この場合、第1のデバイスは、第（n＋k）のサブフレームまたはタイムスロットから上り制御信号の送信を開始し、第2のデバイスは、第（n＋k）のサブフレームまたはタイムスロットから上り制御信号の受信を開始する。別の例では、システムによって事前構成されたM個の時間領域リソースは、第（n＋k）のサブフレームまたはタイムスロットと第（n＋m）のサブフレームまたはタイムスロットとの間のM（M＝m−k）個のサブフレームまたはタイムスロットである。この場合、第1のデバイスは、第（n＋k）のサブフレームまたはタイムスロットと第（n＋m）のサブフレームまたはタイムスロットとの間のサブフレームまたはタイムスロットで上り制御信号を送信し、第2のデバイスは、第（n＋k）のサブフレームまたはタイムスロットと第（n＋m）のサブフレームまたはタイムスロットとの間のサブフレームまたはタイムスロットで上り制御信号を受信する。
【０１２２】
任意選択で、第1のデバイスは、上り制御信号を送信する前に第2のデバイスに第2の情報を送信し、第2の情報は、上り制御信号に含まれるシンボル数を指示するために使用される。
【０１２３】
具体的には、第1のデバイスは、第2のデバイスに上り制御信号を送信する前に、第2のデバイスに第2の情報をまず送信し、第2の情報は、第2のデバイスに、送信されるべき上り制御信号に含まれるシンボル数、すなわち、第2のシンボル数を指示するために使用される。第2のデバイスが、第2の情報に基づいて、第1のデバイスが送信すべき上り制御信号に含まれるシンボル数を決定するので、第2のデバイスは、より意図的に、第1のデバイスによって送信された上り制御信号を受信する。これにより、第2のデバイスが上り制御信号を受信する正確さおよび信頼性が高まる。
【０１２４】
本出願では、第1のデバイスが、第2のデバイスに、送信されるべき上り制御信号に含まれるシンボル数を指示する前述の事例は単なる例であることを理解されたい。送信されるべき上り制御信号に含まれるシンボル数は、代替として、別の方法で指示されてもよい。例えば、第2のデバイスが送信されるべき上り制御信号に含まれるシンボル数をそれ自体で決定し、次いで特定の方法で第1のデバイスにシンボル数を指示するか、またはシンボル数は、第1のデバイスと第2のデバイスの両方がシンボル数について知らされるという条件で、システムの規定に従って指示されてもよい。これについては本出願では限定されない。
【０１２５】
任意選択で、上り制御信号を送信するときに、第1のデバイスは、サブフレームまたはタイムスロット内の複数のシンボルで上り制御信号を繰り返し送信してもよく、上り制御信号は各シンボルまたは複数のシンボルで1回繰り返し送信される。あるいは、第1のデバイスは、複数の占有されたシンボルでジョイントコーディングを行った後に上り制御信号を送信してもよい。
【０１２６】
任意選択で、第1のデバイスは、異なるシンボルに対応する異なる周波数リソースを占有することによって上り制御信号を送信してもよい。
【０１２７】
具体的には、第1のデバイスは、より大きな周波数ダイバーシチ利得を得るために、異なるシンボルに対応する異なる周波数リソースを占有することによって上り制御信号を送信しうる。例えば、図8に示すように、第1のデバイスは、時間領域リソースで7つのシンボルを占有することによって上り制御信号を送信する。7シンボルのうちの3つでは、上り制御信号を送信するために第1の周波数リソースが占有されうる。残り4シンボルでは、上り制御信号を送信するために第2の周波数リソースが占有されうる。
【０１２８】
本出願では、上り制御信号送信時の前述のリソース割り振り方法は、単に周波数ダイバーシチ利得を増やすための方法を説明するための例として使用されているにすぎないことをさらに理解されたい。しかし、本出願はこれに限定されない。
【０１２９】
任意選択で、第2のデバイスは、第1のデバイスに、上り制御信号を送信するための周波数領域リソースを指示する。
【０１３０】
具体的には、第2のデバイスは、明示的な指示方法で第1のデバイスに、上り制御信号を送信するための周波数領域リソースを指示する。例えば、第2のデバイスは第1のデバイスに物理リソースブロック（Physical Resource Block、略称「PRB」）の開始位置および占有されたPRBの数を指示するので、第1のデバイスは第2のデバイスの指示情報に基づいて対応するPRBで上り制御信号を送信する。明示的な指示方法は、下り制御シグナリング、RRCシグナリング、またはブロードキャストシグナリング、または対応するPBRの位置が事前構成方法でシステムによって事前構成されうる、の各方法のうちの少なくとも1つで指示を送信することであってよい。あるいは、第2のデバイスは、暗黙的な指示方法で第1のデバイスに、上り制御信号を送信するための周波数領域リソースを指示してもよい。第2のデバイスは、対応する下り制御シグナリングまたは下りデータによって占有される時間周波数領域リソースを使用した計算によって、対応する上り制御信号を送信するための周波数領域リソースを得る。例えば、計算は、下り制御チャネルによって占有される時間領域リソースもしくは周波数領域リソースのインデックスを使用して行われ、または計算は、下りデータによって占有される時間領域リソースもしくは周波数領域リソースのインデックスを使用して行われる。暗黙的計算時に、上り制御信号によって占有されるシンボル数も、計算式のパラメータ値として使用されうる。シンボル数は、第1のデバイスによって決定され、第2のデバイスに送信されてもよく、または第2のデバイス自体によって決定されてもよい。
【０１３１】
本出願では、2つの指示方法、明示的指示と暗黙的指示とは、単に上り制御信号を送信するための周波数領域リソースの指示送信を説明するための例として使用されているにすぎないことを理解されたい。しかし、本出願はこれに限定されない。
【０１３２】
任意選択で、第1のデバイスは第1のリソースを決定し、第1のデバイスは、第1のリソースで上り制御信号を送信し、第1のリソースは時間領域リソースおよび／または周波数領域リソースを含む。
【０１３３】
第1のデバイスは、各サブフレームまたはタイムスロットに含まれる上り制御チャネルのための時間領域リソースおよび／または周波数領域リソースを決定する。
【０１３４】
具体的には、第1のデバイスは第1のリソースを決定し、第1のリソースは、上り制御信号伝送に使用される時間領域リソースおよび／または周波数領域リソースを含む。第1のデバイスは、第2のデバイスによって送信された下り制御シグナリングを受信することができ、下り制御シグナリングは、現在のサブフレームまたはタイムスロットに含まれる上り制御チャネルのための時間領域リソースおよび／または周波数領域リソースを指示するために使用される。あるいは、第1のデバイスは、第2のデバイスによって送信されたブロードキャスト信号またはRRCシグナリングを受信し、ブロードキャスト信号またはRRCシグナリングは、ある期間内の各サブフレームまたはタイムスロットに含まれる上り制御チャネルのための時間領域リソースおよび／または周波数領域リソースを指示するために使用される。例えば、ブロードキャスト信号またはRRCシグナリングは、上り制御チャネルによって占有される時間周波数領域リソースのパターンを指示しうる。あるいは、第2のデバイスは、各サブフレームまたはタイムスロットに含まれる上り制御チャネルのための時間領域リソースおよび／または周波数領域リソースを事前構成する。例えば、1つのサブフレームの7つのシンボルまたは14のシンボルに含まれる上り制御チャネルのために第2のデバイスによって事前構成される周波数領域リソースは、システム帯域幅の両端の各々で1つの物理リソースブロックPRBを占有する。第1のデバイスは、上り制御信号伝送が可能な時間領域リソースおよび／または周波数領域リソースで上り制御信号を送信し、上り制御信号伝送に使用されない時間領域リソースおよび／または周波数領域リソースは、上りデータ伝送に使用されうる。
【０１３５】
本出願では、各サブフレームまたはタイムスロットに含まれる上り制御チャネルのための時間領域リソースおよび／または周波数領域リソースを指示するための前述の方法は単なる例にすぎず、各サブフレームまたはタイムスロットに含まれる上り制御チャネルのための時間領域リソースおよび／または周波数領域リソースは、代替として、別の方法で指示されてもよいことを理解されたい。例えば、第1のデバイスは、各サブフレームまたはタイムスロットに含まれる上り制御チャネルのための時間領域リソースおよび／または周波数領域リソースを決定し、次いで、第2のデバイスに時間領域リソースおよび／または周波数領域リソースを指示してもよく、あるいは、時間領域リソースおよび／または周波数領域リソースは、第2のデバイスと第1のデバイスの両方が時間領域リソースおよび／または周波数領域リソースについて知らされるという条件で、システムの規定に従って指示されてもよい。これについては本出願では限定されない。
【０１３６】
230：第2のデバイスが、少なくとも1つのリソースで、第1のシンボル数に基づいて第1のデバイスによって送信された上り制御信号を受信し、上り制御信号に含まれるシンボル数は第2のシンボル数であり、第2のシンボル数は第1のシンボル数以上である。
【０１３７】
具体的には、第2のデバイスは、上り制御信号の受信が完了するまで、第1の時間領域リソースの位置から、第1のデバイスによって送信された上り制御信号の受信を開始しうる。あるいは、第2のデバイスは、M個のサブフレームまたはタイムスロット内の上り伝送シンボルの一部または全部で、第1のデバイスによって送信された上り制御信号を受信してもよい。あるいは、第2のデバイスは、上り制御信号伝送単位で、第1のデバイスによって送信された上り制御信号を受信してもよい。あるいは、第2のデバイスは、1つのサブフレームまたはタイムスロットで、第1のデバイスによって送信された上り制御信号を受信してもよい。
【０１３８】
本出願では、第1のデバイスが第2のデバイスに上り制御信号を送信するときに、送信されるべき上り制御信号に含まれるシンボル数は、第1のデバイスと第2のデバイスとの間のチャネルのチャネル品質に対応させられる。これにより、上り制御信号が送信電力要件を確実に満たすようにすることができる。このようにして、上り制御信号を伝送するために使用されるシンボル数を決定する柔軟性に基づいて、第2のデバイスと第1のデバイスとの間の上り制御信号伝送の信頼性を保証することができる。さらに、通信リソースの無駄を回避することができ、通信の信頼性および正確さを高めることができる。
【０１３９】
図9は、本出願による上り制御信号伝送装置300の概略ブロック図である。上り制御信号伝送装置300は、前述のシステム100または方法200で説明した第1のデバイスに対応しうる。加えて、上り制御信号伝送装置300内のモジュールまたはユニットも、前述のシステム100または方法200において第1のデバイスによって行われる動作または処理プロセスを行うように構成される。ここでは反復を避けるために詳細を省略する。
【０１４０】
本出願では、装置300は、プロセッサと送受信機とを含みうる。プロセッサは送受信機に接続される。任意選択で、デバイスはメモリをさらに含み、メモリはプロセッサに接続される。さらに任意選択で、デバイスはバスシステムを含む。プロセッサ、メモリ、および送受信機は、バスシステムを使用して互いに接続されうる。メモリは、命令を格納するように構成されうる。プロセッサは、情報または信号を送信または受信するように送受信機を制御するために、メモリに格納された命令を実行するように構成される。
【０１４１】
図9に示す装置300の決定部はプロセッサに対応していてよく、図9に示す装置300の送信部は送受信機に対応していてよい。
【０１４２】
図10は、本出願による通信装置400の概略ブロック図である。無線通信装置400は、前述のシステム100または方法200で説明した第2のデバイスに対応しうる。加えて、無線通信装置400内のモジュールまたはユニットも、前述のシステム100または方法200において第2のデバイスによって行われる動作または処理プロセスを行うように構成される。ここでは反復を避けるために詳細を省略する。
【０１４３】
本出願では、装置400は、プロセッサと送受信機とを含みうる。プロセッサは送受信機に接続される。任意選択で、デバイスはメモリをさらに含み、メモリはプロセッサに接続される。さらに任意選択で、デバイスはバスシステムを含む。プロセッサ、メモリ、および送受信機は、バスシステムを使用して互いに接続されうる。メモリは、命令を格納するように構成されうる。プロセッサは、情報または信号を送信または受信するように送受信機を制御するために、メモリに格納された命令を実行するように構成される。
【０１４４】
図10に示す装置400の受信部は送受信機に対応していてよく、図10に示す装置400の決定部はプロセッサに対応していてよい。
【０１４５】
本出願の前述の方法実施形態は、プロセッサに適用されてもよく、プロセッサによって実行されてもよいことに留意されたい。プロセッサは、集積回路チップとすることができ、信号処理能力を有する。一実施プロセスでは、前述の方法実施形態の各ステップは、プロセッサにおいてハードウェアの集積論理回路を使用して、またはソフトウェアの形態の命令を使用して完了されうる。プロセッサは、汎用プロセッサ、デジタル信号プロセッサ（Digital Signal Processor、略称「DSP」）、特定用途向け集積回路（Application Specific Integrated Circuit、略称「ASIC」）、フィールドプログラマブルゲートアレイ（Field Programmable Gate Array、略称「FPGA」）もしくは別のプログラマブルロジックデバイス、ディスクリートゲートもしくはトランジスタロジックデバイス、またはディスクリートハードウェアコンポーネントであってもよい。プロセッサは、本出願で開示した方法、ステップ、および論理ブロック図を実現または実行することができる。汎用プロセッサはマイクロプロセッサであってもよく、またはプロセッサは任意の従来のプロセッサなどであってもよい。本出願に関連して開示した方法の各ステップは、ハードウェア復号プロセッサによって直接実行されてもよく、または復号プロセッサのハードウェアとソフトウェアモジュールとの組み合わせを使用して実行されてもよい。ソフトウェアモジュールは、ランダムアクセスメモリ、フラッシュメモリ、読取り専用メモリ、プログラマブル読取り専用メモリ、電気的消去書込み可能メモリ、レジスタといった、当分野の成熟した記憶媒体に配置されていてもよい。記憶媒体はメモリに位置する。プロセッサは、メモリ内の情報を読み取り、プロセッサのハードウェアと組み合わさって前述の方法の各ステップを完了する。
【０１４６】
本出願のメモリは、揮発性メモリもしくは不揮発性メモリであってもよく、または揮発性メモリと不揮発性メモリの両方を含んでいてもよいことが理解されよう。不揮発性メモリは、読取り専用メモリ（Read−Only Memory、略称「ROM」）、書込み可能読取り専用メモリ（Programmable ROM、略称「PROM」）、消去書込み可能読取り専用メモリ（Erasable PROM、略称「EPROM」）、電気的消去書込み可能読取り専用メモリ（Electrically EPROM、略称「EEPROM」）、またはフラッシュメモリであってもよい。揮発性メモリは、ランダム・アクセス・メモリ（Random Access Memory、略称「RAM」）であってもよく、外部キャッシュとして使用される。限定ではなく例として、例えば、スタティック・ランダム・アクセス・メモリ（Static RAM、略称「SRAM」）、ダイナミック・ランダム・アクセス・メモリ（Dynamic RAM、略称「DRAM」）、シンクロナス・ダイナミック・ランダム・アクセス・メモリ（Synchronous DRAM、略称「SDRAM」）、ダブル・データ・レート・シンクロナス・ダイナミック・ランダム・アクセス・メモリ（Double Data Rate SDRAM、略称「DDR SDRAM」）、拡張シンクロナス・ダイナミック・ランダム・アクセス・メモリ（Enhanced SDRAM、略称「ESDRAM」）、シンクリンクDRAM（Synchlink DRAM、略称「SLDRAM」）、ダイレクト・メモリ・バス・ランダム・アクセス・メモリ（Direct Rambus RAM、略称「DR RAM」）など、多くの形態のRAMが利用可能である。本明細書に記載したシステムおよび方法のメモリは、これらのメモリおよび任意の他の適切な種類のメモリを含むことが意図されているが、これに限定されないことに留意されたい。
【０１４７】
本明細書における「および／または」という用語は、単に関連付けられる対象を記述する場合の結合関係にすぎず、3つの関係が存在しうることを示している。例えば、Aおよび／またはBは、Aのみが存在する、AとBの両方が存在する、Bのみが存在する、という3つの場合を表しうる。加えて、本明細書における文字「／」は通常、前後の関連付けられる対象の間に「または」の関係があることを示している。
【０１４８】
本出願の実施形態では、前述のプロセスの順序番号は実行順序を指示するものではないことを理解されたい。各プロセスの実行順序は、各プロセスの機能および内部論理に基づいて決定されるべきであり、本出願の実施プロセスに関するいかなる限定も構成すべきではない。
【０１４９】
本明細書で開示した実施形態に関連して記載された例におけるユニットおよびアルゴリズムステップは、電子ハードウェアによって、またはコンピュータソフトウェアと電子ハードウェアの組み合わせによって実現されうることが、当業者には理解されよう。各機能が果たされるのがハードウェアによってかそれともソフトウェアによってかは、技術的解決策の特定の用途および設計上の制約条件に依存する。当業者は、記載の機能を特定の用途ごとに様々な方法を使用して実施しうるが、そのような実施態様は本出願の範囲を超えるものとみなされるべきではない。
【０１５０】
説明を簡便にするために、前述のシステム、装置、およびユニットの詳細な動作プロセスについては、前述の方法実施形態における対応するプロセスを参照することができ、本明細書では詳細が繰り返されていないことを、当業者は明確に理解できよう。
【０１５１】
本出願で提供したいくつかの実施形態においては、開示のシステム、装置、および方法が他のやり方で実現されうることを理解されたい。例えば、記載の装置実施形態は単なる例にすぎない。例えば、ユニット分割は単なる論理的機能分割にすぎず、実際の実装に際しては他の分割であってもよい。例えば、複数のユニットまたはコンポーネントが組み合わされる場合もあり、または別のシステムに統合される場合もあり、一部の特徴が無視されるかまたは実行されない場合もある。加えて、図示または記載の相互結合または直接結合または通信接続が、いくつかのインターフェースを使用して実現されてもよい。装置間またはユニット間の間接結合または通信接続は、電気的形態、機械的形態、または他の形態として実現されてもよい。
【０１５２】
別々の部品として記述されたユニットは物理的に分離している場合もそうではない場合もあり、ユニットとして図示された部品は物理的ユニットである場合もそうではない場合もあり、一箇所に位置する場合もあり、複数のネットワークユニット上に分散されている場合もある。各実施形態の解決策の目的を達成するために、ユニットの一部または全部が実際の要件に応じて選択されてもよい。
【０１５３】
加えて、本出願の各実施形態における機能ユニットは1つの処理ユニットに統合されていてもよく、各ユニットが物理的に独立して存在していてもよく、または2つ以上のユニットが1つのユニットへ統合されていてもよい。
【０１５４】
各機能がソフトウェア機能ユニットの形態で実現され、独立した製品として販売または使用される場合に、それらの機能は、コンピュータ可読記憶媒体に格納されうる。そうした理解に基づき、本出願の技術的解決策は本質的に、または先行技術に寄与する部分が、または技術的解決策の一部がソフトウェア製品の形態で実現されうる。コンピュータソフトウェア製品は記憶媒体に格納され、（パーソナルコンピュータ、サーバ、第2のデバイスなどとしうる）コンピュータデバイスに、本出願の実施形態に記載された方法のステップの全部または一部を実行するよう命令するためのいくつかの命令を含む。前述の記憶媒体は、USBフラッシュドライブ、リムーバブルハードディスク、読取り専用メモリ（Read−Only Memory、略称「ROM」）、ランダム・アクセス・メモリ（Random Access Memory、略称「RAM」）、磁気ディスク、光ディスクといった、プログラムコードを格納することができる様々な媒体を含む。
【０１５５】
以上の説明は、単に本出願の特定の実施態様であるにすぎず、本出願の保護範囲を限定するためのものではない。本出願で開示した技術範囲内で当業者が容易に思いつく一切の変形または置換は、本出願の保護範囲内に含まれるものとする。ユニットの一部または全部が、したがって、本出願の保護範囲は、特許請求の範囲の保護範囲に従うべきものとする。
【符号の説明】
【０１５６】
100  無線通信システム
102  第2のデバイス
104  アンテナ
106  アンテナ
108  アンテナ
110  アンテナ
112  アンテナ
114  アンテナ
116  第1のデバイス
118  順方向リンク
120  逆方向リンク
122  第1のデバイス
124  順方向リンク
126  逆方向リンク
300  上り制御信号伝送装置
400  無線通信装置
【図１】
2020503727.tif 000004
【図２】
2020503727.tif 000005
【図３】
2020503727.tif 000006
【図４】
2020503727.tif 000007
【図５】
2020503727.tif 000008
【図６】
2020503727.tif 000009
【図７】
2020503727.tif 000010
【図８】
2020503727.tif 000011
【図９】
2020503727.tif 000012
【図１０】
2020503727.tif 000013
【手続補正書】
【提出日】令和1年6月17日(2019.6.17)
【手続補正１】
【補正対象書類名】明細書
【補正対象項目名】００４６
【補正方法】変更
【補正の内容】
【００４６】
第2の態様および第2の態様の前述の実施態様に関連して、第2の態様の第10の実施態様において、上り制御信号を受信するステップの前に、本方法は、第2のデバイスにより、第1のデバイスに第5の情報を送信するステップであって、第5の情報がM個の時間領域リソースのうちの少なくとも1つを指示するために使用される、ステップ、をさらに含む。
【手続補正２】
【補正対象書類名】特許請求の範囲
【補正対象項目名】全文
【補正方法】変更
【補正の内容】
【特許請求の範囲】
【請求項１】
上り制御信号伝送方法であって、前記方法が、
第1のデバイスにより、第1のシンボル数を決定するステップと、
前記第1のデバイスにより、前記第1のシンボル数に基づいて少なくとも1つのリソースで第2のデバイスに上り制御信号を送信するステップであって、前記上り制御信号に含まれるシンボル数が第2のシンボル数であり、前記第2のシンボル数が前記第1のシンボル数以上である、ステップと
を含む、方法。
【請求項２】
第1のデバイスにより、第1のシンボル数を決定する前記ステップが、
前記第1のデバイスにより、前記第2のデバイスによって送信された第3の情報を受信するステップであって、前記第3の情報が前記第1のシンボル数を指示するために使用される、ステップと、
前記第1のデバイスにより、前記第3の情報に基づいて前記第1のシンボル数を決定するステップと
を含む、請求項1に記載の方法。
【請求項３】
少なくとも1つのリソースを占有することによって上り制御信号を送信する前記ステップが、
前記第1のデバイスにより、第1の時間領域リソースを決定し、前記第1の時間領域リソース内および前記第1の時間領域リソースの後に位置する上り伝送シンボルの一部または全部で前記上り制御信号を送信するステップ
を含む、請求項1または2に記載の方法。
【請求項４】
少なくとも1つのリソースを占有することによって上り制御信号を送信する前記ステップが、
前記第1のデバイスにより、前記第1の時間領域リソースと前記第1の時間領域リソースの後との時間領域リソースのうちの少なくとも1つで前記上り制御信号を送信するステップ
を含む、請求項3に記載の方法。
【請求項５】
前記第1のデバイスにより、第1の時間領域リソースを決定する前記ステップが、
前記第1のデバイスにより、前記第2のデバイスによって送信された第4の情報を受信するステップであって、前記第4の情報が前記第1の時間領域リソースを指示するために使用される、ステップ
を含む、請求項3または4に記載の方法。
【請求項６】
少なくとも1つのリソースを占有することによって上り制御信号を送信する前記ステップが、
前記第1のデバイスにより、M個の時間領域リソースを決定するステップであって、M≧1である、ステップと、
前記第1のデバイスにより、前記M個の時間領域リソース内の上り伝送シンボルの一部または全部で前記上り制御信号を送信するステップと
を含む、請求項1から5のいずれか一項に記載の方法。
【請求項７】
前記第1のデバイスにより、前記M個の時間領域リソースで前記上り制御信号を送信する前記ステップが、
Mが1より大きいときに、前記第1のデバイスにより、前記M個の時間領域リソースのうちの少なくとも1つで前記上り制御信号を送信するステップ
を含む、請求項6に記載の方法。
【請求項８】
前記第1のデバイスにより、M個の時間領域リソースを決定する前記ステップが、
前記第1のデバイスにより、前記第2のデバイスによって送信された第5の情報を受信するステップであって、前記第5の情報が前記M個の時間領域リソースのうちの少なくとも1つを指示するために使用される、ステップ
を含む、請求項6または7に記載の方法。
【請求項９】
前記方法が、
前記第1のデバイスにより、第1のリソースを決定するステップ
をさらに含み、
少なくとも1つのリソースを占有することによって上り制御信号を送信する前記ステップが、
前記第1のデバイスにより、前記第1のリソースで前記上り制御信号を送信するステップであって、前記第1のリソースが時間領域リソースおよび／または周波数領域リソースを含む、ステップ
を含む、請求項1から8のいずれか一項に記載の方法。
【請求項１０】
上り制御信号伝送方法であって、前記方法が、
第2のデバイスにより、少なくとも1つのリソースで、第1のシンボル数に基づいて第1のデバイスによって送信された上り制御信号を受信するステップであって、前記上り制御信号に含まれるシンボル数が第2のシンボル数であり、前記第2のシンボル数が前記第1のシンボル数以上である、ステップ
を含む、方法。
【請求項１１】
前記上り制御信号を受信する前記ステップの前に、前記方法が、
前記第2のデバイスにより、前記第1のデバイスに第3の情報を送信するステップであって、前記第3の情報が前記第1のシンボル数を指示するために使用される、ステップ
をさらに含む、請求項10に記載の方法。
【請求項１２】
少なくとも1つのリソースで上り制御信号を受信する前記ステップが、
前記第2のデバイスにより、第1の時間領域リソースを決定し、前記第1の時間領域リソース内および前記第1の時間領域リソースの後に位置する上り伝送シンボルの一部または全部で前記上り制御信号を受信するステップ
を含む、請求項10または11に記載の方法。
【請求項１３】
少なくとも1つのリソースで上り制御信号を受信する前記ステップが、
前記第2のデバイスにより、前記第1の時間領域リソースと前記第1の時間領域リソースの後との時間領域リソースのうちの少なくとも1つで前記上り制御信号を受信するステップ
を含む、請求項12に記載の方法。
【請求項１４】
前記上り制御信号を受信する前記ステップの前に、前記方法が、
前記第2のデバイスにより、前記第1のデバイスに第4の情報を送信するステップであって、前記第4の情報が前記第1の時間領域リソースを指示するために使用される、ステップ
をさらに含む、請求項12または13に記載の方法。
【請求項１５】
少なくとも1つのリソースで上り制御信号を受信する前記ステップが、
前記第2のデバイスにより、M個の時間領域リソースを決定するステップであって、M≧1である、ステップと、
前記第2のデバイスにより、前記M個の時間領域リソース内の上り伝送シンボルの一部または全部で前記上り制御信号を受信するステップと
を含む、請求項10から14のいずれか一項に記載の方法。
【請求項１６】
前記第2のデバイスにより、前記M個の時間領域リソースで前記上り制御信号を受信する前記ステップが、
Mが1より大きいときに、前記第2のデバイスにより、前記M個の時間領域リソースのうちの少なくとも1つで前記上り制御信号を受信するステップ
を含む、請求項15に記載の方法。
【請求項１７】
前記上り制御信号を受信する前記ステップの前に、前記方法が、
前記第2のデバイスにより、前記第1のデバイスに第5の情報を送信するステップであって、前記第5の情報が前記M個の時間領域リソースのうちの少なくとも1つを指示するために使用される、ステップ
をさらに含む、請求項15または16に記載の方法。
【請求項１８】
前記方法が、
前記第2のデバイスにより、第1のリソースを決定するステップ
をさらに含み、
少なくとも1つのリソースで上り制御信号を受信する前記ステップが、
前記第2のデバイスにより、前記第1のリソースで前記上り制御信号を受信するステップであって、前記第1のリソースが時間領域リソースおよび／または周波数領域リソースを含む、ステップ
を含む、請求項10から17のいずれか一項に記載の方法。
【請求項１９】
上り制御信号伝送装置であって、前記装置が、
第1のシンボル数を決定するように構成された決定部と、
前記第1のシンボル数に基づいて少なくとも1つのリソースで第2のデバイスに上り制御信号を送信し、前記上り制御信号に含まれるシンボル数が第2のシンボル数であり、前記第2のシンボル数が前記第1のシンボル数以上である、ように構成された送信部と
を含む、装置。
【請求項２０】
前記受信部が、
前記第2のデバイスによって送信された第3の情報を受信し、前記第3の情報が前記第1のシンボル数を指示するために使用される、
ようにさらに構成され、
前記決定部が、
前記第3の情報に基づいて前記第1のシンボル数を決定する
ようにさらに構成される、請求項19に記載の装置。
【請求項２１】
前記決定部が、
第1の時間領域リソースを決定する
ようにさらに構成され、
前記送信部が、
前記決定部によって決定された前記第1の時間領域リソース内および前記第1の時間領域リソースの後に位置する上り伝送シンボルの一部または全部で前記上り制御信号を送信する
ようにさらに構成される、請求項19または20に記載の装置。
【請求項２２】
前記送信部が、
前記第1の時間領域リソースと前記第1の時間領域リソースの後との時間領域リソースのうちの少なくとも1つで前記上り制御信号を送信する
ようにさらに構成される、請求項21に記載の装置。
【請求項２３】
前記受信部が、
前記第2のデバイスによって送信された第4の情報を受信し、前記第4の情報が前記第1の時間領域リソースを指示するために使用される、
ようにさらに構成される、請求項21または22に記載の装置。
【請求項２４】
前記決定部が、
M個の時間領域リソースを決定し、M≧1である、
ようにさらに構成され、
前記送信部が、
前記決定部によって決定された前記M個の時間領域リソース内の上り伝送シンボルの一部または全部で前記上り制御信号を送信する
ようにさらに構成される、請求項19から23のいずれか一項に記載の装置。
【請求項２５】
前記送信部が、
Mが1より大きいときに、前記M個の時間領域リソースのうちの少なくとも1つで前記上り制御信号を送信する
ようにさらに構成される、請求項24に記載の装置。
【請求項２６】
前記受信部が、
前記第2のデバイスによって送信された第5の情報を受信し、前記第5の情報が前記M個の時間領域リソースのうちの少なくとも1つを指示するために使用される、
ようにさらに構成される、請求項24または25に記載の装置。
【請求項２７】
前記決定部が、
第1のリソースを決定する
ようにさらに構成され、
前記送信部が、
前記第1のリソースで前記上り制御信号を送信し、前記第1のリソースが時間領域リソースおよび／または周波数領域リソースを含む、
ようにさらに構成される、請求項19から26のいずれか一項に記載の装置。
【請求項２８】
上り制御信号伝送装置であって、前記装置が、
少なくとも1つのリソースで、第1のシンボル数に基づいて第1のデバイスによって送信された上り制御信号を受信し、前記上り制御信号に含まれるシンボル数が第2のシンボル数であり、前記第2のシンボル数が前記第1のシンボル数以上である、ように構成された受信部
を含む、装置。
【請求項２９】
前記送信部が、
前記上り制御信号が受信される前に前記第1のデバイスに第3の情報を送信し、前記第3の情報が前記第1のシンボル数を指示するために使用される、
ようにさらに構成される、請求項28に記載の装置。
【請求項３０】
前記装置が、
第1の時間領域リソースを決定するように構成された決定部
をさらに含み、
前記受信部が、
前記決定部によって決定された前記第1の時間領域リソース内および前記第1の時間領域リソースの後に位置する上り伝送シンボルの一部または全部で前記上り制御信号を受信する
ようにさらに構成される、請求項28または29に記載の装置。
【請求項３１】
前記受信部が、
前記第1の時間領域リソースと前記第1の時間領域リソースの後との時間領域リソースのうちの少なくとも1つで前記上り制御信号を受信する
ようにさらに構成される、請求項30に記載の装置。
【請求項３２】
前記送信部が、
前記上り制御信号が受信される前に前記第1のデバイスに第4の情報を送信し、前記第4の情報が前記第1の時間領域リソースを指示するために使用される、
ようにさらに構成される、請求項30または31に記載の装置。
【請求項３３】
前記決定部が、
M個の時間領域リソースを決定し、M≧1である、
ようにさらに構成され、
前記受信部が、
前記決定部によって決定された前記M個の時間領域リソース内の上り伝送シンボルの一部または全部で前記上り制御信号を受信する
ようにさらに構成される、請求項30から32のいずれか一項に記載の装置。
【請求項３４】
前記受信部が、
Mが1より大きいときに、前記M個の時間領域リソースのうちの少なくとも1つで前記上り制御信号を受信する
ようにさらに構成される、請求項33に記載の装置。
【請求項３５】
前記送信部が、
前記上り制御信号が受信される前に前記第1のデバイスに第5の情報を送信し、前記第5の情報が前記M個の時間領域リソースのうちの少なくとも1つを指示するために使用される、
ようにさらに構成される、請求項33または34に記載の装置。
【請求項３６】
前記決定部が、
第1のリソースを決定する
ようにさらに構成され、
前記受信部が、
前記決定部によって決定された前記第1のリソースで前記上り制御信号を受信し、前記第1のリソースが時間領域リソースおよび／または周波数領域リソースを含む、
ようにさらに構成される、請求項30から35のいずれか一項に記載の装置。
【請求項３７】
請求項1から18のいずれか一項に記載の方法をプロセッサに実行させるプログラム。
【請求項３８】
遠隔通信ネットワーク内のデバイスであって、前記デバイスは、
前記遠隔通信ネットワーク内での通信をサポートする送受信機と、
前記送受信機に動作可能に接続されたプロセッサと
を含み、
前記送受信機および前記プロセッサは、請求項1から18のいずれか一項に記載の方法のステップをユーザ機器に実行させるように協調して動作する、デバイス。
【国際調査報告】
2020503727.tif 000014
2020503727.tif 000015
2020503727.tif 000016
2020503727.tif 000017